(57)【要約】  【課題】  複雑な操作を行うことなく無線電話回線以外の無線回線を介して通信を行うことのできる無線通信システムを提供する。  【解決手段】  携帯電話機２から携帯電話機３に対して通話を行う際、予め無線ＬＡＮ回線１１１を介して携帯電話機２と固定電話機４との間で接続可能かどうかの判定がされており、無線ＬＡＮ回線１１３を介して携帯電話機３と通信が行えない場合に、携帯電話機２から固定電話機４を介して公衆電話回線９より携帯電話機３に対して通話が行われる。固定電話機４に対して無線ＬＡＮ回線１１１より接続できない場合には、無線電話回線を通じて携帯電話機３に対して通信が行われる。  【選択図】      図１
2007013648.tif 000002
【特許請求の範囲】
【請求項１】
無線電話回線で構成される第１の無線回線と前記第１の無線回線以外の無線通信回線で構成される第２の無線回線とに接続可能な構成であって、前記第１の無線回線と前記第２の無線回線の双方に接続可能な構成あるいは前記第２の無線回線と公衆電話回線の双方に接続可能な構成である他の通信端末と前記第２の無線回線を介して接続可能状態であるか否かの判定を行う第１の判定部と、前記第１の判定部において前記第２の無線回線を介して接続可能な状態であると判定された他の通信端末の情報を登録する第１の接続可能相手記憶部と、を備える第１の通信端末と、
公衆電話回線と前記第２の無線回線とに接続可能な構成である第２の通信端末と、
少なくとも前記第１の無線回線に接続可能な第３の通信端末と、で構成され、
前記第１の通信端末と前記第３の通信端末の間で通信を行う際、
前記第１の接続可能相手記憶部に前記第３の通信端末が登録されていないとともに、前記第２の通信端末が登録されている場合には、前記第１の通信端末から前記第２の無線回線を介して前記第２の通信端末を中継し、さらに前記第２の通信端末から公衆電話回線および前記第１の無線回線を介して前記第３の通信端末に接続されることを特徴とする無線通信システム。
【請求項２】
前記第２の通信端末が、該第２の通信端末の子機として利用可能である通信端末を予め登録できる構成であり、
前記第１の通信端末と前記第３の通信端末の間で通信を行う際、
前記第１の接続可能相手記憶部に前記第３の通信端末が登録されていないとともに、前記第２の通信端末が登録されている場合であって、前記第２の通信端末の子機として利用可能である端末として前記第１の通信端末が登録されている場合には、前記第１の通信端末から前記第２の無線回線を介して前記第２の通信端末を中継し、さらに前記第２の通信端末から公衆電話回線および前記第１の無線回線を介して前記第３の通信端末に接続されることを特徴とする請求項１に記載の無線通信システム。
【請求項３】
無線電話回線で構成される第１の無線回線と前記第１の無線回線以外の無線通信回線で構成される第２の無線回線とに接続可能な構成であって、前記第１の無線回線と前記第２の無線回線の双方に接続可能な構成あるいは前記第２の無線回線と公衆電話回線の双方に接続可能な構成である他の通信端末と前記第２の無線回線を介して接続可能状態であるか否かの判定を行う第１の判定部と、前記第１の判定部において前記第２の無線回線を介して接続可能な状態であると判定された他の通信端末の情報を登録する第１の接続可能相手記憶部と、を備える第１の通信端末と、
公衆電話回線と前記第２の無線回線とに接続可能な構成である第２の通信端末と、
少なくとも公衆電話回線に接続可能な第４の通信端末と、で構成され、
前記第１の通信端末と前記第４の通信端末の間で通信を行う際、
前記第１の接続可能相手記憶部に前記第４の通信端末が登録されていないとともに、前記第２の通信端末が登録されている場合には、前記第１の通信端末から前記第２の無線回線を介して前記第２の通信端末を中継し、さらに前記第２の通信端末から公衆電話回線を介して前記第４の通信端末に接続されることを特徴とする無線通信システム。
【請求項４】
前記第２の通信端末が、該第２の通信端末の子機として利用可能である通信端末を予め登録できる構成であり、
前記第１の通信端末と前記第４の通信端末の間で通信を行う際、
前記第１の接続可能相手記憶部に前記第４の通信端末が登録されていないとともに、前記第２の通信端末が登録されている場合であって、前記第２の通信端末の子機として利用可能である端末として前記第１の通信端末が登録されている場合には、前記第１の通信端末から前記第２の無線回線を介して前記第２の通信端末を中継し、さらに前記第２の通信端末から公衆電話回線を介して前記第４の通信端末に接続されることを特徴とする請求項３に記載の無線通信システム。
【請求項５】
無線電話回線で構成される第１の無線回線と前記第１の無線回線以外の無線通信回線で構成される第２の無線回線とに接続可能な構成である第１の通信端末と、
公衆電話回線と前記第２の無線回線とに接続可能な構成であって、前記第１の無線回線と前記第２の無線回線の双方に接続可能な構成である他の通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備える第２の通信端末と、
少なくとも前記第１の無線回線に接続可能な第３の通信端末と、で構成され、
前記第３の通信端末から前記第２の通信端末に対して通信の申し込みを行う際、
前記第２の接続可能相手記憶部に前記第１の通信端末が登録されている場合には、前記第３の通信端末から前記第１の無線回線および公衆電話回線を介して前記第２の通信端末を呼び出すとともに、前記第２の通信端末から前記第２の無線回線を介して前記第１の通信端末を呼び出すことを特徴とする無線通信システム。
【請求項６】
前記第１の通信端末に対する呼び出しに応答することで、前記第２の通信端末を介して前記第３の通信端末との間で接続が成立することを特徴とする請求項５に記載の無線通信システム。
【請求項７】
前記第２の通信端末が、該第２の通信端末の子機として利用可能である通信端末を予め登録できる構成であり、
前記第３の通信端末から前記第２の通信端末に対して通信の申し込みを行う際、
前記第２の接続可能相手記憶部に前記第１の通信端末が登録されている場合であって、前記第２の通信端末の子機として利用可能である端末として前記第１の通信端末が登録されている場合には、前記第３の通信端末から前記第１の無線回線および公衆電話回線を介して前記第２の通信端末を呼び出すとともに、前記第２の通信端末から前記第２の無線回線を介して前記第１の通信端末を呼び出すことを特徴とする請求項５または請求項６に記載の無線通信システム。
【請求項８】
無線電話回線で構成される第１の無線回線と前記第１の無線回線以外の無線通信回線で構成される第２の無線回線とに接続可能な構成である第１の通信端末と、
公衆電話回線と前記第２の無線回線とに接続可能な構成であって、前記第１の無線回線と前記第２の無線回線の双方に接続可能な構成である他の通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備える第２の通信端末と、
少なくとも公衆電話回線に接続可能な第４の通信端末と、で構成され、
前記第４の通信端末から前記第２の通信端末に対して通信の申し込みを行う際、
前記第２の接続可能相手記憶部に前記第１の通信端末が登録されている場合には、前記第４の通信端末から公衆電話回線を介して前記第２の通信端末を呼び出すとともに、前記第２の通信端末から前記第２の無線回線を介して前記第１の通信端末を呼び出すことを特徴とする無線通信システム。
【請求項９】
前記第１の通信端末に対する呼び出しに応答することで、前記第２の通信端末を介して前記第４の通信端末との間で接続が成立することを特徴とする請求項８に記載の無線通信システム。
【請求項１０】
前記第２の通信端末が、該第２の通信端末の子機として利用可能である通信端末を予め登録できる構成であり、
前記第４の通信端末から前記第２の通信端末に対して通信の申し込みを行う際、
前記第２の接続可能相手記憶部に前記第１の通信端末が登録されている場合であって、前記第２の通信端末の子機として利用可能である端末として前記第１の通信端末が登録されている場合には、前記第４の通信端末から前記公衆電話回線を介して前記第２の通信端末を呼び出すとともに、前記第２の通信端末から前記第２の無線回線を介して前記第１の通信端末を呼び出すことを特徴とする請求項８または請求項９に記載の無線通信システム。
【請求項１１】
公衆電話回線と、無線電話回線以外の無線通信回線である第２の無線回線とに接続可能な構成であって、
無線電話回線で構成される第１の無線回線と前記第２の無線回線との双方に接続可能な構成である通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備え、
前記第１の無線回線と前記第２の無線回線の双方に接続可能な第１の通信端末と、該端末および前記第１の通信端末以外の端末である第３の通信端末と、の間で接続が行われる際、
前記第１の通信端末が前記第２の接続可能相手記憶部に登録されている場合には、前記第１の通信端末と前記第２の無線回線を介して通信を行い、さらに公衆電話回線を介して前記第３の通信端末と通信を行うことで、前記第１の通信端末と前記第３の通信端末の接続を中継することを特徴とする通信端末。
【請求項１２】
公衆電話回線と、無線電話回線以外の無線通信回線である第２の無線回線とに接続可能な構成であって、
無線電話回線で構成される第１の無線回線と前記第２の無線回線との双方に接続可能な構成である通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備え、
前記第１の無線回線と前記第２の無線回線の双方に接続可能な第１の通信端末が、前記第２の接続可能相手記憶部に登録されている場合に、
該端末および前記第１の通信端末以外の通信端末である第３の通信端末から通信の申し込みが行われると、前記第２の無線回線を介して前記第１の通信端末に対して接続を行い、前記第１の通信端末の呼出処理を行うことを特徴とする通信端末。
【請求項１３】
利用者によって視覚的に確認可能な表示部を有し、
前記第２の接続可能相手記憶部に登録されている前記他の通信端末の情報が前記表示部に表示されることを特徴とする請求項１１または請求項１２に記載の通信端末。
【請求項１４】
前記第２の判定部が、
前記他の通信端末から送信された、前記第２の無線回線を介して接続可能であると判定された旨を示す情報である通信可能データを、前記第２の無線回線を介して受信すると、該通信可能データの送信元である前記他の通信端末と前記第２の無線回線を介して接続可能状態であると判定することを特徴とする請求項１１〜請求項１３のいずれかに記載の通信端末。
【請求項１５】
各通信端末を識別するための個別の情報である識別子データを、前記第２の無線回線を介して接続可能な位置に存在する前記他の通信端末に対して逐次送信することを特徴とする請求項１１〜請求項１４のいずれかに記載の通信端末。
【請求項１６】
前記他の通信端末の内、前記第２の無線回線を介して接続可能状態にある場合には前記第２の無線回線を介して該通信端末と接続を行うことを許可する前記他の通信端末の情報が予め利用者によって登録される相手局識別子保存部を備え、
前記第２の判定部が、
前記他の通信端末から送信された情報であって、前記他の通信端末それぞれを識別するための個別の情報である識別子データを前記第２の無線回線を介して受信すると、受信した前記識別子データの送信元である前記他の通信端末の情報が前記相手局識別子保存部に登録されているか否かを確認するとともに、登録されている場合には前記他の通信端末と前記第２の無線回線を介して接続可能状態であると判定することを特徴とする請求項１１または請求項１２に記載の通信端末。
【請求項１７】
前記第２の判定部が、
前記他の通信端末から送信された、前記第２の無線回線を介して接続可能であると判定された旨を示す情報である通信可能データを、前記第２の無線回線を介して受信すると、受信した前記通信可能データの送信元である前記他の通信端末の情報が前記相手局識別子保存部に登録されているか否かを確認するとともに、登録されている場合には前記他の通信端末と前記第２の無線回線を介して接続可能状態であると判定することを特徴とする請求項１６に記載の通信端末。
【請求項１８】
前記第２の判定部によって前記第２の無線回線を介して接続可能状態であると判定された前記他の通信端末に対し、前記第２の無線回線を介して接続可能である旨を示す情報である通信可能データを前記第２の無線回線を介して送信することを特徴とする請求項１６または請求項１７に記載の通信端末。
【請求項１９】
各通信端末を識別するための個別の情報である識別子データを、前記第２の無線回線を介して接続可能な位置に存在する前記他の通信端末に対して逐次送信することを特徴とする請求項１６〜請求項１８のいずれかに記載の通信端末。
【発明の詳細な説明】
【技術分野】
【０００１】
本発明は、無線通信システムに関し、特に、無線電話回線と無線電話回線以外の他の無線通信回線の双方に接続可能な構成である通信端末を含む無線通信システムに関するものである。又、本発明は、この無線通信システムに用いられる通信端末に関するものである。
【０００２】
近年、従来の無線電話機能に加えて、無線ＬＡＮ（Local Area Network）等無線電話回線以外の他の無線通信回線に接続できる機能を備える携帯電話機、ＰＤＡ（Personal Digital Assistant）等の携帯型通信端末装置が開発されている。
【０００３】
そして、このような無線ＬＡＮ接続可能な携帯電話機を含む通信システムとして、例えば携帯電話機の電話番号と端末番号とを認証コードとして利用するシステムが開示されている（特許文献１参照）。以下に、このシステムの概略を説明する。
【０００４】
図１２は、特許文献１で想定するネットワークシステムの構成を示す図である。このネットワークシステム９００は、無線電話回線と無線ＬＡＮ回線の双方に接続可能な通信端末装置９０１−１、９０１−２、・・・、９０１−ｎと、無線ＬＡＮ９０２と、無線ＬＡＮ９０２に接続される管理サーバ９０３とで構成される。
【０００５】
図１３は、通信端末９０１−１が備える端末情報の構成を示すテーブルである。端末情報は、通信端末に予め固有に与えられた電話番号と端末番号とで構成される。通信端末装置９０１−２、・・・、９０１−ｎについても同様の構成の端末情報を有する。尚、端末番号とは、通信端末そのものを識別するための固有の番号である。
【０００６】
管理サーバ９０３は、無線ＬＡＮを利用可能な通信端末を管理するために設置されており、管理サーバ９０３内に備えられたデータベース（不図示）において、利用可能な端末装置の電話番号と端末番号が登録されている。
【０００７】
このように構成されるとき、まず、通信端末９０１−１を管理サーバ９０３に接続するために利用者が所定の電話番号を入力し、無線電話回線を介して管理サーバ９０３と接続された後、認証のために通信端末９０１−１の電話番号と端末番号の情報を管理サーバ９０３に送信する。そして、管理サーバ９０３においてデータベースとの照合が行われる。このとき、このデータベースに該当する電話番号及び端末番号が存在すれば、当該通信端末９０１−１は無線ＬＡＮ９０２に接続可能な状態となる。
【特許文献１】特開平１１−１７５４７７号公報
【発明の開示】
【発明が解決しようとする課題】
【０００８】
しかしながら、特許文献１に記載の通信システムの場合、無線ＬＡＮを利用する際は予め管理サーバに接続するために無線電話回線を介して認証を行う必要があり、利用者にとっては非常に煩わしいという問題がある。
【０００９】
又、特許文献１に記載の通信システムは、無線ＬＡＮに接続することで、例えば当該ＬＡＮに接続されたコンピュータに対して所定の情報を送受信する目的で考案されている。即ち、この無線ＬＡＮに接続可能な構成である通信端末同士が通話する場合は、管理サーバに接続するために無線電話回線を介して認証を行った後、無線ＬＡＮ回線を利用して通話を行わなければならない。
【００１０】
例えば通信端末Ａが通信端末Ｂに対して無線ＬＡＮ回線を利用して通話を行おうとする場合、通信端末Ａは、無線ＬＡＮに接続するために管理サーバに接続して認証を行わなければならない上、認証が完了しても通話先である通信端末Ｂが当該無線ＬＡＮに接続されていない状態であれば無線ＬＡＮを介して通話を行うことができないため、結果として通信端末Ｂに対して無線電話回線を介して呼び出しを行う必要が生じる場合も考えられる。このため、通信端末同士で通話を行う場合、利用者は通常の携帯電話と同様、通話先の電話番号に電話を掛けることで無線電話回線を介して通話を行うことが想定される。
【００１１】
しかしながら、このような構成の元では、無線ＬＡＮに接続された状態の通信端末間においても無線電話回線を介して通話が行われることになり、無線ＬＡＮ回線の使用機会を逸する結果となる。
【００１２】
本発明は、上記の問題点に鑑みて、利用者が無線ＬＡＮ回線等の無線電話回線以外の他の無線通信回線が利用可能な状態にある通信端末を用いて通話を行う際、複雑な操作を行うことなく無線電話回線以外の無線通信回線を介して通話を行うことができる無線通信システムを提供することを目的とする。
【００１３】
又、本発明は、上記無線通信システムで用いられる通信端末を提供することを別の目的とする。
【００１４】
上記目的を達成すべく、本発明の無線通信システムは、無線電話回線で構成される第１の無線回線と前記第１の無線回線以外の無線通信回線で構成される第２の無線回線とに接続可能な構成であって、前記第１の無線回線と前記第２の無線回線の双方に接続可能な構成あるいは前記第２の無線回線と公衆電話回線の双方に接続可能な構成である他の通信端末と前記第２の無線回線を介して接続可能状態であるか否かの判定を行う第１の判定部と、前記第１の判定部において前記第２の無線回線を介して接続可能な状態であると判定された他の通信端末の情報を登録する第１の接続可能相手記憶部と、を備える第１の通信端末と、公衆電話回線と前記第２の無線回線とに接続可能な構成である第２の通信端末と、少なくとも前記第１の無線回線に接続可能な第３の通信端末と、で構成され、前記第１の通信端末と前記第３の通信端末の間で通信を行う際、前記第１の接続可能相手記憶部に前記第３の通信端末が登録されていないとともに、前記第２の通信端末が登録されている場合には、前記第１の通信端末から前記第２の無線回線を介して前記第２の通信端末を中継し、さらに前記第２の通信端末から公衆電話回線および前記第１の無線回線を介して前記第３の通信端末に接続されることを特徴とする。
【００１５】
このとき、前記第１の接続可能相手記憶部に前記第３の通信端末が登録されている場合には、前記第１の通信端末と前記第３の通信端末との間で前記第２の通信回線を介して接続を行うものとしても構わないし、第１の通信回線を介して接続を行うものとしても構わない。そして、いずれの回線を利用するかについて、予め利用者によって設定できる構成としても構わない。
【００１６】
また、第２の無線回線として、無線ＬＡＮ回線、ｂｌｕｅｔｏｏｔｈ（登録商標）等の無線回線を利用することができる。
【００１７】
このように構成されることで、利用者は、第１の通信回線および第２の通信回線のいずれを利用するかについて意識することなく、前記第１の接続可能相手記憶部に前記第３の通信端末が登録されている場合には、前記第１の通信端末と前記第３の通信端末との間で前記第２の通信回線を介して接続を行い、前記第１の接続可能相手記憶部に前記第３の通信端末が登録されておらず第２の通信端末が登録されていれば、第２の通信回線を介して第２の通信端末と接続するとともにさらに前記第２の通信端末から公衆電話回線および前記第１の無線回線を介して前記第３の通信端末に接続を行い、前記第１の接続可能相手記憶部に第１の通信端末および第３の通信端末のいずれの端末も登録されていない場合には、前記第１の通信回線を介して接続を行う。すなわち、利用者はいずれの回線を利用するかについて意識することなく、第２の通信回線が利用可能な状態であれば第２の通信回線を優先的に利用する通信システムを提供することができる。
【００１８】
また、例えば、前記第２の通信端末が、該第２の通信端末の子機として利用可能である通信端末を予め登録できる構成であり、前記第１の通信端末と前記第３の通信端末の間で通信を行う際、前記第１の接続可能相手記憶部に前記第３の通信端末が登録されていないとともに、前記第２の通信端末が登録されている場合であって、前記第２の通信端末の子機として利用可能である端末として前記第１の通信端末が登録されている場合には、前記第１の通信端末から前記第２の無線回線を介して前記第２の通信端末を中継し、さらに前記第２の通信端末から公衆電話回線および前記第１の無線回線を介して前記第３の通信端末に接続される構成としても構わない。
【００１９】
このように構成されることで、第２の通信端末と第２の通信回線を介して接続可能であるという条件に加えて、子機として利用可能である条件を備えた通信端末に限って、第２の通信端末を中継させて他の端末と公衆電話回線を利用して接続を行うことができ、セキュリティの向上が図られる。
【００２０】
また、例えば、無線電話回線で構成される第１の無線回線と前記第１の無線回線以外の無線通信回線で構成される第２の無線回線とに接続可能な構成であって、前記第１の無線回線と前記第２の無線回線の双方に接続可能な構成あるいは前記第２の無線回線と公衆電話回線の双方に接続可能な構成である他の通信端末と前記第２の無線回線を介して接続可能状態であるか否かの判定を行う第１の判定部と、前記第１の判定部において前記第２の無線回線を介して接続可能な状態であると判定された他の通信端末の情報を登録する第１の接続可能相手記憶部と、を備える第１の通信端末と、公衆電話回線と前記第２の無線回線とに接続可能な構成である第２の通信端末と、少なくとも公衆電話回線に接続可能な第４の通信端末と、で構成され、前記第１の通信端末と前記第４の通信端末の間で通信を行う際、前記第１の接続可能相手記憶部に前記第４の通信端末が登録されていないとともに、前記第２の通信端末が登録されている場合には、前記第１の通信端末から前記第２の無線回線を介して前記第２の通信端末を中継し、さらに前記第２の通信端末から公衆電話回線を介して前記第４の通信端末に接続される構成としても構わない。
【００２１】
また、例えば、前記第２の通信端末が、該第２の通信端末の子機として利用可能である通信端末を予め登録できる構成であり、前記第１の通信端末と前記第４の通信端末の間で通信を行う際、前記第１の接続可能相手記憶部に前記第４の通信端末が登録されていないとともに、前記第２の通信端末が登録されている場合であって、前記第２の通信端末の子機として利用可能である端末として前記第１の通信端末が登録されている場合には、前記第１の通信端末から前記第２の無線回線を介して前記第２の通信端末を中継し、さらに前記第２の通信端末から公衆電話回線を介して前記第４の通信端末に接続される構成としても構わない。
【００２２】
また、例えば、無線電話回線で構成される第１の無線回線と前記第１の無線回線以外の無線通信回線で構成される第２の無線回線とに接続可能な構成である第１の通信端末と、公衆電話回線と前記第２の無線回線とに接続可能な構成であって、前記第１の無線回線と前記第２の無線回線の双方に接続可能な構成である他の通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備える第２の通信端末と、少なくとも前記第１の無線回線に接続可能な第３の通信端末と、で構成され、前記第３の通信端末から前記第２の通信端末に対して通信の申し込みを行う際、前記第２の接続可能相手記憶部に前記第１の通信端末が登録されている場合には、前記第３の通信端末から前記第１の無線回線および公衆電話回線を介して前記第２の通信端末を呼び出すとともに、前記第２の通信端末から前記第２の無線回線を介して前記第１の通信端末を呼び出す構成としても構わない。
【００２３】
このように構成されることで、第２の通信端末が固定電話機である場合に、当該第２の通信端末に対して第３の通信端末から通信の申し込みが行われると、第１の通信端末と第２の通信端末との間で第２の通信回線を介して接続可能な状態であれば、第２の通信回線を介して第１の通信端末にも呼び出しが行われる。
【００２４】
さらにこのとき、前記第１の通信端末に対する呼び出しに応答することで、前記第２の通信端末を介して前記第３の通信端末との間で接続が成立する構成としても構わない。これによって、第１の通信端末があたかも第２の通信端末の子機として振る舞うことができる。
【００２５】
また、例えば、前記第２の通信端末が、該第２の通信端末の子機として利用可能である通信端末を予め登録できる構成であり、前記第３の通信端末から前記第２の通信端末に対して通信の申し込みを行う際、前記第２の接続可能相手記憶部に前記第１の通信端末が登録されている場合であって、前記第２の通信端末の子機として利用可能である端末として前記第１の通信端末が登録されている場合には、前記第３の通信端末から前記第１の無線回線および公衆電話回線を介して前記第２の通信端末を呼び出すとともに、前記第２の通信端末から前記第２の無線回線を介して前記第１の通信端末を呼び出す構成としても構わない。
【００２６】
また、例えば、無線電話回線で構成される第１の無線回線と前記第１の無線回線以外の無線通信回線で構成される第２の無線回線とに接続可能な構成である第１の通信端末と、公衆電話回線と前記第２の無線回線とに接続可能な構成であって、前記第１の無線回線と前記第２の無線回線の双方に接続可能な構成である他の通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備える第２の通信端末と、少なくとも公衆電話回線に接続可能な第４の通信端末と、で構成され、
前記第４の通信端末から前記第２の通信端末に対して通信の申し込みを行う際、前記第２の接続可能相手記憶部に前記第１の通信端末が登録されている場合には、前記第４の通信端末から公衆電話回線を介して前記第２の通信端末を呼び出すとともに、前記第２の通信端末から前記第２の無線回線を介して前記第１の通信端末を呼び出す構成としても構わない。
【００２７】
このとき、前記第１の通信端末に対する呼び出しに応答することで、前記第２の通信端末を介して前記第４の通信端末との間で接続が成立するものとしても構わない。
【００２８】
また、例えば、前記第２の通信端末が、該第２の通信端末の子機として利用可能である通信端末を予め登録できる構成であり、前記第４の通信端末から前記第２の通信端末に対して通信の申し込みを行う際、前記第２の接続可能相手記憶部に前記第１の通信端末が登録されている場合であって、前記第２の通信端末の子機として利用可能である端末として前記第１の通信端末が登録されている場合には、前記第４の通信端末から前記公衆電話回線を介して前記第２の通信端末を呼び出すとともに、前記第２の通信端末から前記第２の無線回線を介して前記第１の通信端末を呼び出すものとしても構わない。
【００２９】
また、本発明の通信端末は、公衆電話回線と、無線電話回線以外の無線通信回線である第２の無線回線とに接続可能な構成であって、無線電話回線で構成される第１の無線回線と前記第２の無線回線との双方に接続可能な構成である通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備え、前記第１の無線回線と前記第２の無線回線の双方に接続可能な第１の通信端末と、該端末および前記第１の通信端末以外の端末である第３の通信端末と、の間で接続が行われる際、前記第１の通信端末が前記第２の接続可能相手記憶部に登録されている場合には、前記第１の通信端末と前記第２の無線回線を介して通信を行い、さらに公衆電話回線を介して前記第３の通信端末と通信を行うことで、前記第１の通信端末と前記第３の通信端末の接続を中継することを特徴とする。
【００３０】
また、例えば、公衆電話回線と、無線電話回線以外の無線通信回線である第２の無線回線とに接続可能な構成であって、無線電話回線で構成される第１の無線回線と前記第２の無線回線との双方に接続可能な構成である通信端末と前記第２の無線回線を介して接続可能状態であるか否かの判定を行う第２の判定部と、前記第２の判定部において前記第２の無線回線を介して接続可能な状態であると判定された他の通信端末の情報を登録する第２の接続可能相手記憶部と、を備え、前記第１の無線回線と前記第２の無線回線の双方に接続可能な第１の通信端末が、前記第２の接続可能相手記憶部に登録されている場合に、該端末および前記第１の通信端末以外の通信端末である第３の通信端末から通信の申し込みが行われると、前記第２の無線回線を介して前記第１の通信端末に対して接続を行い、前記第１の通信端末の呼出処理を行うものとしても構わない。
【００３１】
このとき、本発明の通信端末が、利用者によって視覚的に確認可能な表示部を有し、前記第２の接続可能相手記憶部に登録されている前記他の通信端末の情報が前記表示部に表示されるものとしても構わない。
【００３２】
また、例えば、前記第２の判定部が、前記他の通信端末から送信された、前記第２の無線回線を介して接続可能であると判定された旨を示す情報である通信可能データを、前記第２の無線回線を介して受信すると、該通信可能データの送信元である前記他の通信端末と前記第２の無線回線を介して接続可能状態であると判定するものとしても構わない。
【００３３】
また、例えば、各通信端末を識別するための個別の情報である識別子データを、前記第２の無線回線を介して接続可能な位置に存在する前記他の通信端末に対して逐次送信する構成であるものとしても構わない。
【００３４】
また、例えば、前記他の通信端末の内、前記第２の無線回線を介して接続可能状態にある場合には前記第２の無線回線を介して該通信端末と接続を行うことを許可する前記他の通信端末の情報が予め利用者によって登録される相手局識別子保存部を備え、前記第２の判定部が、前記他の通信端末から送信された情報であって、前記他の通信端末それぞれを識別するための個別の情報である識別子データを前記第２の無線回線を介して受信すると、受信した前記識別子データの送信元である前記他の通信端末の情報が前記相手局識別子保存部に登録されているか否かを確認するとともに、登録されている場合には前記他の通信端末と前記第２の無線回線を介して接続可能状態であると判定するものとしても構わない。
【００３５】
また、例えば、前記第２の判定部が、前記他の通信端末から送信された、前記第２の無線回線を介して接続可能であると判定された旨を示す情報である通信可能データを、前記第２の無線回線を介して受信すると、受信した前記通信可能データの送信元である前記他の通信端末の情報が前記相手局識別子保存部に登録されているか否かを確認するとともに、登録されている場合には前記他の通信端末と前記第２の無線回線を介して接続可能状態であると判定するものとしても構わない。
【００３６】
また、例えば、前記第２の判定部によって前記第２の無線回線を介して接続可能状態であると判定された前記他の通信端末に対し、前記第２の無線回線を介して接続可能である旨を示す情報である通信可能データを前記第２の無線回線を介して送信するものとしても構わない。
【００３７】
また、例えば、各通信端末を識別するための個別の情報である識別子データを、前記第２の無線回線を介して接続可能な位置に存在する前記他の通信端末に対して逐次送信する構成であるとして構わない。
【発明の効果】
【００３８】
本発明の構成によれば、利用者が相手の携帯電話機に対して呼出を行う際、無線ＬＡＮ回線を用いて接続を行うか無線電話回線を用いて接続を行うかということを意識することなく、無線ＬＡＮ回線が利用可能な状態であれば無線ＬＡＮ回線を介して相手の携帯電話機に対して呼び出す旨の信号が送信され、無線ＬＡＮ回線が利用不可能な状態であれば無線電話回線を介して相手携帯電話機に対して呼び出す旨の信号が送信されるため、どちらの回線を利用して相手を呼び出すかということについて特に意識する必要はない。すなわち、複雑な操作を行うことなく無線電話回線以外の無線通信回線を介して通話を行うことができる無線通信システムを実現することができる。
【００３９】
また、このとき、無線ＬＡＮ回線を介して呼び出された相手の携帯電話機も、通常の応答処理を行うことで、無線ＬＡＮ回線を介した通信が行われるため、どちらの回線を利用して相手から呼び出されたかということについて特に意識する必要はなく、これによって無線ＬＡＮ回線を介して接続可能な環境下にある相手に対しては、利用者は特に意識することなく無線ＬＡＮ回線を介して通信が行われる構成であるため、無線ＬＡＮ回線の利用機会が向上する。
【００４０】
また、無線ＬＡＮ回線対応の固定電話機が子機対象携帯電話機との間で無線ＬＡＮ回線で接続可能な領域に存在する場合には、当該携帯電話機が固定電話機の子機としての機能を備えることができる。このため、固定電話機に対してかかってきた電話に対して当該携帯電話機で応答することができ、利便性が向上する。なお、このとき、無線ＬＡＮ回線による接続が行われており、無線ＬＡＮ回線の利用機会が向上する。
【００４１】
逆に、子機対象携帯電話機から他の電話機に対して通話を行う際、固定電話機との間で無線ＬＡＮ回線による接続が可能である場合には、携帯電話機から固定電話機を介して公衆電話回線による通話を行うことができる。この場合においても、無線ＬＡＮ回線の利用機会が向上する。
【発明を実施するための最良の形態】
【００４２】
本発明の実施形態について、図面を参照して説明する。図１は、本発明の無線通信システムの一実施形態を示す構成図である。
【００４３】
図１に示す無線通信システム１は、無線ＬＡＮ回線を利用可能な携帯電話機２、携帯電話機３、固定電話機４と、携帯電話機２、携帯電話機３が位置するエリアを管轄する無線電話回線の基地局５，７で構成される。なお、以下では、携帯電話機２の電話番号を０９０２、携帯電話機３の電話番号を０９０３、固定電話機４の電話番号を０６０４として説明を行う。
【００４４】
携帯電話機２から携帯電話機３に対して通話の申し込みを行う場合について説明する。なお、以下では携帯電話機２と携帯電話機３との間の距離が離れており、携帯電話機２と携帯電話機３との間では無線ＬＡＮによって接続が成立しない環境下であるものとする（無線ＬＡＮ回線１１３による接続が成立しない状態）。なお、無線ＬＡＮで接続が成立する場合については別途後述する。また、以下では、携帯電話機間で成立する無線ＬＡＮ接続のことを「ダイレクト無線ＬＡＮ接続」と称する。
【００４５】
携帯電話機２を操作して、携帯電話機３に対して呼び出しを行う場合について説明する。このとき、携帯電話機３の電話番号が携帯電話機２のメモリに登録されているものとして構わない。携帯電話機２の利用者は、メモリより携帯電話機３の電話番号「０９０３」を選択して、当該番号の呼び出しを行う。なお、メモリに登録されておらず、利用者が携帯電話機３の電話番号「０９０３」を入力するものとしても構わない。
【００４６】
このとき、携帯電話機２と固定電話機４とが無線ＬＡＮ回線１１１を利用できる環境下であれば、無線ＬＡＮ回線１１１を介して固定電話４から公衆電話回線９、公衆網６、基地局５、無線電話回線８を順に介して携帯電話機３に対し呼び出す旨を示す呼出信号を送信する。一方、携帯電話機２と固定電話機４との位置が所定距離以上離れているために無線ＬＡＮ回線１１１が利用できない環境下であれば、無線電話回線１１２、基地局７、公衆網６、基地局５、無線電話回線８を順に介して携帯電話機３に対して呼び出す旨の呼出信号を送信する。
【００４７】
なお、携帯電話機２と固定電話機４とが無線ＬＡＮ回線１１１を利用できる環境下である場合に、固定電話機４を経由して公衆回線を利用して呼び出しを行うか、固定電話機４を経由せず無線電話回線を利用して呼び出しを行うかの選択が携帯電話機２の操作によって行えるものとしても構わないし、予めどちらを優先的に利用するかを設定できるものとしても構わない。また、以下では、携帯電話機と固定電話機との間で成立する無線ＬＡＮ接続のことを「固定経由無線ＬＡＮ接続」と称する。
【００４８】
固定電話４を経由せず、すなわち無線ＬＡＮ回線１１１を利用しないで携帯電話機２から携帯電話機３に対して通話呼び出しを行う場合について説明する。このとき、利用者は携帯電話機２から携帯電話機３の電話番号である０９０３を呼び出す。そして、携帯電話機２からの呼出信号が、無線電話回線を介して基地局４へ送られ、基地局４から公衆網を経て移動制御局（不図示）へと送られる。その後、移動制御局が番号０９０３に該当する携帯電話機が存在する地点を管轄する基地局５を探索し、当該基地局５から無線電話回線９を介して携帯電話機３に呼び出す旨の呼出信号を送信する。
【００４９】
一方、無線ＬＡＮ回線１１１を利用できる環境下にある場合は、無線ＬＡＮ回線１１１を介して固定電話機４を経由するとともに、固定電話機４から公衆回線９を介して携帯電話機３に呼び出す旨の呼出信号が送信される。このとき、固定電話機４を経由する場合、経由しない場合のいずれの場合においても、呼び出し元である携帯電話機２の情報が送信されるものとする。即ち、携帯電話機３の利用者は、携帯電話機２からの呼び出しであることを確認することができる。
【００５０】
なお、固定電話機４を経由して携帯電話機３を呼び出す場合に、呼び出し元の情報として固定電話機４の情報が併せて送信されるものとしてもよいし、固定電話機４が中継局としての役割を果たしている旨の情報が送信されるものとしてもよい。
【００５１】
このような状態の下で、携帯電話機３の利用者が呼び出しに応じる操作を行うと、携帯電話機２と携帯電話機３との間で通話可能な状態となる。そして、固定電話機４を経由して呼び出しがあった場合は、無線ＬＡＮ回線１１１、公衆電話回線９を介して音声信号が送受信され、無線電話回線を介して呼び出しがあった場合は、無線電話回線１１２を介して音声信号が送受信される。即ち、携帯電話機３の利用者は、どちらの回線から呼び出しがあったかについて特に意識することなく、通常の携帯電話における応対動作と同様の動作を行うことで、公衆回線および無線ＬＡＮ回線を介した固定電話機からの呼び出しの場合はこれらの回線を介して通話を行うことができ、無線電話回線による呼び出しの場合は無線電話回線を介して通話を行うことができる。
【００５２】
一方、呼び出し元である携帯電話機２の利用者においても、通常の携帯電話機と同様に呼び出し先である携帯電話機３の番号をメモリから呼び出して送信するのみで、固定電話機４との間で無線ＬＡＮ回線が利用可能な状態であれば無線ＬＡＮ回線を介して固定電話機４から携帯電話機３に対して呼び出す旨の信号が送信され、固定電話機４との間で無線ＬＡＮ回線が利用不可能な状態であれば無線電話回線を介して携帯電話機３に対して呼び出す旨の信号が送信されるため、どちらの回線を利用して相手を呼び出すかということについて特に意識する必要はない。
【００５３】
なお、携帯電話機２と携帯電話機３との間に無線ＬＡＮ回線１１３による接続が成立している場合、携帯電話機２から無線ＬＡＮ回線１１３を介して携帯電話機３を呼び出す。携帯電話機３の利用者は、この場合においても、どの回線から呼び出しがあったかについて特に意識することなく、通常の携帯電話における応対動作と同様の動作を行うことで、無線ＬＡＮ回線１１３を介して通話を行うことができ、呼び出し元である携帯電話機２の利用者においても、通常の携帯電話機と同様に呼び出し先である携帯電話機３の番号をメモリから呼び出して送信するのみで、無線ＬＡＮ回線が利用可能な状態であれば無線ＬＡＮ回線を介して携帯電話機３に対して呼び出す旨の信号が送信される。
【００５４】
さらに、携帯電話機２が、呼び出し先である携帯電話機３との間で無線ＬＡＮ回線１１３による接続が成立している場合においても、無線ＬＡＮ回線１１３を利用して呼び出しを行うか、他の回線を利用して呼び出しを行うかについて利用者が選択できる構成としても構わないし、予め利用者によって設定できるものとしても構わない。なお、以下では、ダイレクト無線ＬＡＮ接続、固定経由無線ＬＡＮ接続、無線電話回線接続、の順に接続の優先順位が付けられているものとして説明を行う。
【００５５】
図２は、この無線通信システム１を用いて通話を行う全体的な動作の流れを示すフローチャートである。携帯電話機２の利用者が携帯電話機３を呼び出す場合を想定する。まず携帯電話機２の利用者が通話先（この場合は携帯電話機３の電話番号０９０３）を指定する（ＳＴＥＰ１−１）。そして、携帯電話機３との間でダイレクト無線ＬＡＮ回線による接続が可能かどうかを確認する（ＳＴＥＰ１−２）。なお、後述するように、ダイレクト無線ＬＡＮ回線が利用可能な状態であるかどうかについての判定動作は、各携帯電話において逐次行われており、利用者が通話先を指定する時点で携帯電話機は当該通話先として指定された相手との間で無線ＬＡＮ回線が利用可能であるかどうかについて把握している構成である。
【００５６】
ＳＴＥＰ１−２においてダイレクト無線ＬＡＮ回線が利用可能であると確認された場合（ＳＴＥＰ１−２においてＹｅｓ）、携帯電話機２が携帯電話機３に対して無線ＬＡＮ回線を介して呼び出し動作を行う（ＳＴＥＰ１−３）。そして、携帯電話機３からの応答があるかどうかを確認し（ＳＴＥＰ１−４）、応答があれば（ＳＴＥＰ１−４においてＹｅｓ）、無線ＬＡＮ回線を介して通話を行う（ＳＴＥＰ１−５）。一方、応答がなければ（ＳＴＥＰ１−４においてＮｏ）、応答があるまで呼び出しを続ける。
【００５７】
一方、ＳＴＥＰ１−２においてダイレクト無線ＬＡＮ回線が利用不可能であると確認された場合（ＳＴＥＰ１−２においてＮｏ）、固定電話機４との間で無線ＬＡＮ接続が可能かどうかを確認する（ＳＴＥＰ１−７）。固定経由無線ＬＡＮ接続が可能かどうかについても、ダイレクト無線ＬＡＮ接続が可能かどうかについてと同様、対応する携帯電話機および固定電話機において逐次行われており、利用者が通話先を指定する時点で、携帯電話機は固定電話機との間で無線ＬＡＮ回線が利用可能であるかどうかについて把握している構成である。
【００５８】
ＳＴＥＰ１−７において固定経由無線ＬＡＮ回線が利用可能であると確認された場合（ＳＴＥＰ１−７においてＹｅｓ）、携帯電話機２が固定電話機４、公衆電話回線９を介して呼び出し動作を行う（ＳＴＥＰ１−８）。そして、携帯電話機３からの応答があるかどうかを確認し（ＳＴＥＰ１−９）、応答があれば（ＳＴＥＰ１−９においてＹｅｓ）、固定電話機４と公衆電話回線９を介して通話を行う（ＳＴＥＰ１−１０）。一方、応答がなければ（ＳＴＥＰ１−９においてＮｏ）、応答があるまで呼び出しを続ける。
【００５９】
また一方で、ＳＴＥＰ１−７において固定経由無線ＬＡＮ回線が利用不可能であると確認された場合（ＳＴＥＰ１−７においてＮｏ）、携帯電話機２が携帯電話機３に対して無線電話回線を介して呼び出し動作を行う（ＳＴＥＰ１−１２）。そして、携帯電話機３からの応答があるかどうかを確認し（ＳＴＥＰ１−１３）、応答があれば（ＳＴＥＰ１−１３においてＹｅｓ）、無線電話回線を介して通話を行う（ＳＴＥＰ１−１４）。一方、応答がなければ（ＳＴＥＰ１−１３においてＮｏ）、応答があるまで呼び出しを続ける。
【００６０】
なお、上述において、所定時間の呼び出しが行われても応答がない場合は、自動的に呼び出しを中止する構成としても良い。
【００６１】
そして、接続が維持されている間（ＳＴＥＰ１−６でＹｅｓ、ＳＴＥＰ１−１１でＹｅｓ、ＳＴＥＰ１−１５でＹｅｓ）、それぞれダイレクト無線ＬＡＮ回線、固定経由無線ＬＡＮ回線、無線電話回線を介して通話が行われ、少なくともどちらか一方から回線を切断する旨の信号が送出されると（ＳＴＥＰ１−６でＮｏ、ＳＴＥＰ１−１１でＮｏ、ＳＴＥＰ１−１５でＮｏ）、通話が終了する（ＳＴＥＰ１−１６）。
【００６２】
＜＜１．ダイレクト無線ＬＡＮ接続による通話判定＞＞
次に、通話元の携帯電話機２と通話先の携帯電話機３とが無線ＬＡＮ回線を介して接続可能であるかどうかを判定する方法について以下に説明を行う。図３は、携帯電話機２の構成を示すブロック図であり、図４は携帯電話機３の構成を示すブロック図である。後述するように、図３と図４に示される携帯電話機の構成の違いは、図３に示される携帯電話機が無線ＬＡＮ回線が利用可能な状態であるかどうかの判定を要求する信号を送る機能を備える構成であるのに対し、図４に示される携帯電話は、無線ＬＡＮ回線が利用可能かどうかについての判定を要求する信号を受信すると、実際に当該判定を行った後、利用可能な状態であれば、その旨の信号を返信する機能を備える構成である点である。
【００６３】
即ち、携帯電話機２が携帯電話機３に対して無線ＬＡＮ回線を介して接続可能であるかどうかの判定を要求し、携帯電話機３が携帯電話機２に対して当該判定結果を返信する構成である。このとき、逆に携帯電話機３が携帯電話機２に対して無線ＬＡＮ回線を介して接続可能であるかどうかの判定を要求し、携帯電話機２が携帯電話機３に対して当該判定結果を返信する構成であっても構わないし、両者が互いに無線ＬＡＮ回線を介して接続可能かどうかの判定を要求する構成であっても構わない。以下では、携帯電話機２が携帯電話機３に対して無線ＬＡＮ回線を介して接続可能であるかどうかの判定を要求し、携帯電話機３が携帯電話機２に対して当該判定結果を返信する構成であるものとして説明を行う。
【００６４】
まず、携帯電話機２及び携帯電話機３が備える各構成要素の動作について簡単に説明を行う。
【００６５】
図３に示す携帯電話機２は、無線電話回線からの信号を受信する無線電話回線受信部１１と、無線電話回線に対して信号を送信する無線電話回線送信部１２と、無線ＬＡＮ回線からの信号を受信する無線ＬＡＮ回線受信部１３と、無線ＬＡＮ回線に対して信号を送信する無線ＬＡＮ回線送信部１４と、無線電話回線受信部１１から受信した信号に対して所定の制御を行う無線電話回線受信信号制御部３８と、を備える。
【００６６】
無線電話回線受信信号制御部３８は、無線電話回線受信部１１より信号を受信した際、携帯電話機２が他の電話機との間で通信中である場合には、音声変換等の処理を行わずに送信元に対して通信中である旨の信号を無線電話回線送信部１２から送信する指示を行う。また、他の電話機との間で通信中でない場合には、無線電話回線受信部１１に対して、受信信号を音声出力変換部２３に出力して、利用者によって聴覚可能な形式に変換する旨の指示を行う。
【００６７】
更に、携帯電話機２は、利用者が外部より音声を入力する音声入力部１５と、音声入力部１５に入力された音声を無線電話回線を介して送信できる形式に変換する入力音声変換部１６と、無線電話回線を介して通信を行うか無線ＬＡＮ回線を介して通信を行うかの選択を行う通信方法選択部１７と、入力された音声を無線ＬＡＮ回線を介して送信できる形式に変換する無線ＬＡＮ用データ変換部１８と、を備える。また、通信相手との通信開始あるいは通信停止等の制御を行う通信制御部３５を備える。
【００６８】
更に、携帯電話機２は、無線ＬＡＮ回線受信部１３から受信されたデータの解析を行うデータ解析部１９と、データ解析部１９に対する制御を行うデータ解析制御部２１と、データ解析部１９によって無線ＬＡＮ回線受信部１３から受信されたデータが音声データと判別された場合に当該音声データを無線電話回線を介して受信された形式に変換する無線電話回線用データ変換部２２と、無線電話回線受信部１１及び無線電話回線用データ変換部２２から与えられる音声データを利用者によって聴覚可能な形式に変換する音声出力変換部２３と、音声出力変換部２３から出力される音声データを外部に出力する音声出力部２４と、を備える。利用者は、音声出力部２４から出力される音声データを耳にすることで、通話相手の発声を認識することができる。
【００６９】
更に、携帯電話機２は、他の携帯電話機からの呼出信号を受信したときに、呼出音を出力させるための処理や、呼び出しがあった旨の内容を画面に表示させるための処理を行う呼出処理部３６を備える。また、他の携帯電話機からの切断信号を受信したときに、切断音を出力させるための処理や、切断処理があった旨の内容を画面に表示させるための処理を行う切断処理部３９を備える。
【００７０】
更に、携帯電話機２は、利用者によって操作される操作部２５と、操作部２５の操作内容に基づいて後段に所定の指示を与える操作制御部３７と、を備える。操作部２５は、複数の操作子で構成されており、利用者が操作部２５を操作することで、例えば相手先の電話番号の入力や、発信及び応答処理の開始指示を行うことができる。
【００７１】
更に、携帯電話機２は、無線ＬＡＮ回線受信部１３から受信されたデータが相手局から送信された情報信号であって相手局と携帯電話機２との間で無線ＬＡＮ回線を介して通信可能である旨の情報信号である通信可能データであるとデータ解析部１９によって判別された場合に、この相手局とは無線ＬＡＮ接続が可能であるという内容の情報を登録する無線ＬＡＮ利用相手局記憶部２８と、この無線ＬＡＮ利用相手局記憶部２８に記憶されている相手局に対しては無線ＬＡＮを利用して接続可能な状態である旨の表示を画面上に行うための表示処理を行う表示処理部２９と、表示処理部２９によって表示された情報を表示する表示部３１と、を備える。
【００７２】
更に、携帯電話機２は、データ解析部１９によって無線ＬＡＮ回線受信部１３から受信されたデータが不要なデータであると判定された場合に当該データを廃棄するデータ廃棄部３３と、他の携帯電話機によって携帯電話機２を識別させるための携帯電話機２自身の識別子データを作成する自局識別子データ作成部３４と、を備える。この自局識別子データ作成部３４で作成された識別子は、無線ＬＡＮ回線送信部１４に送られて、無線ＬＡＮ回線を介して他の携帯電話機に出力される。なお、以下では自局識別子データとして、自身の携帯電話番号の情報を利用するものとする。
【００７３】
即ち、携帯電話機２は、携帯電話機２の電話番号である０９０２なる情報信号を自局識別子データ作成部３４で作成するとともに、この電話番号の情報が無線ＬＡＮ回線送信部１４より送信される。この自局識別子データ作成部３４は、定期的に逐次自局識別子を作成して、無線ＬＡＮ回線送信部１４に出力しているものとする。
【００７４】
次に、携帯電話機３の構成について図４を参照して説明する。
【００７５】
図４に示す携帯電話機３は、無線電話回線からの信号を受信する無線電話回線受信部４１と、無線電話回線に対して信号を送信する無線電話回線送信部４２と、無線ＬＡＮ回線からの信号を受信する無線ＬＡＮ回線受信部４３と、無線ＬＡＮ回線に対して信号を送信する無線ＬＡＮ回線送信部４４と、を備える。また、無線電話回線受信部４１から受信した信号に対して所定の制御を行う無線電話回線受信信号制御部６８と、を備える。
【００７６】
無線電話回線受信信号制御部６８は、無線電話回線受信部４１より信号を受信した際、携帯電話機３が他の電話機との間で通信中である場合には、音声変換等の処理を行わずに送信元に対して通信中である旨の信号を無線電話回線送信部４２から送信する指示を行う。また、他の電話機との間で通信中でない場合には、無線電話回線受信部４１に対して、受信信号を音声出力変換部５３に出力して、利用者が耳で聞くことのできる形式に変換する旨の指示を行う。
【００７７】
更に、携帯電話機３は、利用者が外部より音声を入力する音声入力部４５と、音声入力部４５に入力された音声を無線電話回線を介して送信できる形式に変換する入力音声変換部４６と、無線電話回線を介して通信を行うか無線ＬＡＮ回線を介して通信を行うかの選択を行う通信方法選択部４７と、入力された音声を無線ＬＡＮ回線を介して送信できる形式に変換する無線ＬＡＮ用データ変換部４８と、を備える。また、通信相手との通信開始あるいは通信停止等の制御を行う通信制御部６５を備える。
【００７８】
更に、携帯電話機３は、無線ＬＡＮ回線受信部４３から受信されたデータの解析を行うデータ解析部４９と、データ解析部４９に対する制御を行うデータ解析制御部５１と、データ解析部４９によって無線ＬＡＮ回線受信部４３から受信されたデータが音声データと判別された場合に当該音声データを無線電話回線を介して受信された形式に変換する無線電話回線用データ変換部５２と、無線電話回線受信部４１及び無線電話回線用データ変換部５２から与えられる音声データを利用者によって聴覚可能な形式に変換する音声出力変換部５３と、音声出力変換部５３から出力される音声データを外部に出力する音声出力部５４と、を備える。利用者は、音声出力部５４から出力される音声データを耳にすることで、通話相手の発声を認識することができる。
【００７９】
更に、携帯電話機３は、他の携帯電話機からの呼出信号を受信したときに、呼び出し音を出力したり、呼び出しがあった旨の内容を画面に表示させるための表示処理を行う呼出処理部６６を備える。また、他の携帯電話機からの切断信号を受信したときに、切断音を出力させるための処理や、切断処理があった旨の内容を画面に表示させるための処理を行う切断処理部６９を備える。
【００８０】
更に、携帯電話機３は、利用者によって操作される操作部５５と、操作部５５の操作内容に基づいて後段に所定の指示を与える操作制御部６７とを備える。操作部５５は、複数の操作子で構成されており、利用者が操作部５５を操作することで、例えば相手先の電話番号の入力や、発信及び応答処理の開始指示を行うことができる。
【００８１】
更に、携帯電話機３は、利用者が操作部５５を操作することで登録された相手先の電話番号を記憶する相手局識別子記憶部５６と、データ解析部４９によって無線ＬＡＮ回線受信部４３から受信されたデータが、相手局から送信された情報信号であって相手局の電話番号の情報（識別子データ）であると判別された場合に当該電話番号に対応する相手との接続方法を無線電話回線と無線ＬＡＮ回線のいずれを選択するかについての決定を行う通信方法決定部５７と、この通信方法決定部５７によって無線ＬＡＮ接続が可能であると判断された場合に、この相手局とは無線ＬＡＮ接続が可能であるという内容の情報を登録する無線ＬＡＮ利用相手局記憶部５８と、この無線ＬＡＮ利用相手局記憶部５８に記憶されている相手局に対しては無線ＬＡＮを利用して接続可能な状態である旨の表示を画面上に行うための表示処理を行う表示処理部５９と、表示処理部５９によって表示された情報を表示する表示部６１と、を備える。
【００８２】
更に、携帯電話機３は、データ解析部４９によって無線ＬＡＮ回線受信部４３から受信されたデータが不要なデータであると判定された場合に当該データを廃棄するデータ廃棄部６３と、無線ＬＡＮ利用相手局記憶部５８によって無線ＬＡＮ回線を利用して接続する内容が記憶されている相手局に対してその旨の情報を記載した通信可能データを作成する通信可能データ作成部６４と、を備える。
【００８３】
この通信可能データ作成部６４によって作成された通信可能データは、無線ＬＡＮ回線送信部４４に送られ、無線ＬＡＮ接続を行う各相手局に対して無線ＬＡＮ回線を介して送信される。
【００８４】
このように携帯電話機２、携帯電話機３が構成されるとき、携帯電話機２と携帯電話機３との間で無線ＬＡＮ回線を介して接続可能であるかどうかの判定動作の流れについて以下に説明する。
【００８５】
上述のように、携帯電話機２は、自局識別子データ作成部３４によって作成される自身の携帯電話番号の情報を逐次無線ＬＡＮ回線送信部１４から送信する。このとき無線ＬＡＮ回線送信部１４から送信される識別子データは、その時点における携帯電話機２の位置から無線ＬＡＮ回線で接続が可能なエリア内に放射される。
【００８６】
一方、携帯電話機３は、無線ＬＡＮ回線受信部４３から受信するデータをデータ解析部４９によって解析する。このとき、データ解析部４９において、受信されたデータが識別子データ（携帯電話機の電話番号情報）であると判定された場合、この電話番号の情報を通信方法決定部５７に出力する。そして、無線ＬＡＮ回線を介して接続しても良い相手であるという判定がされた場合、この相手局の電話番号を無線ＬＡＮ利用相手局記憶部５８に格納する。そして、通信可能データ作成部６４が、無線ＬＡＮ利用相手局記憶部５８に格納された電話番号の相手先と無線ＬＡＮを介して接続可能である旨の情報信号である通信可能データを作成し、この通信可能データを無線ＬＡＮ回線送信部４４より当該相手先に送信する。なお、通信方法決定部５７において行われる無線ＬＡＮ回線を介して接続しても良い相手であるかどうかの判定方法については後述する。
【００８７】
上記において、データ解析部４９において受信データが識別子データであるという確認がされたということは、当該識別子データの送信元である携帯電話機と携帯電話機３とが無線ＬＡＮを介してデータの送受信が可能である範囲内に位置していることを表す。
【００８８】
例えば携帯電話機２が携帯電話機３の位置から所定の距離以上離れているため、無線ＬＡＮを介して正しくデータの送受信が行えない状態にある場合、携帯電話機２から送られた識別子データは、情報の欠損や雑音の重畳等によって誤った情報として携帯電話機３に受信されるか、あるいは全く受信できないことになる。このとき、いずれの場合においても、携帯電話機２との間で無線ＬＡＮ回線を介して接続しても良い相手であるかどうかという判定動作が行われることがないため、通信可能データが作成されず、携帯電話機２に対して通信可能データが送信されないことになる。よって、携帯電話機２と携帯電話機３との間では無線ＬＡＮを介して接続されることがない。
【００８９】
データ解析部４９において、携帯電話機の識別子データであることが判定された場合、上述のようにこの電話番号の情報が通信方法決定部５７に与えられる。通信方法決定部５７は、相手局識別子記憶部５６に記憶されている電話番号との照合を行って、当該電話番号が示す携帯電話機と無線ＬＡＮ回線を介して接続をしても良いかどうかの判定を行う。
【００９０】
相手局識別子記憶部５６は、予め利用者によって操作部５５から入力された電話番号が登録されている。この相手局識別子記憶部５６が携帯電話機の電話帳の機能を兼ねることもできる。このとき、相手先の電話番号の他に相手を識別するための名称や地理情報、及び無線ＬＡＮ回線を介して接続しても良い相手である場合はその旨の情報を登録するものとする。
【００９１】
図５は、相手局識別子記憶部５６に登録されるデータ構造の一例を示す。電話番号０９０１は「Ａ野Ｂ夫」というキーワードで登録されており、無線ＬＡＮ回線を利用して接続しない相手として無線ＬＡＮ利用可能項目には「０」と登録されている。また、電話番号０９０２は「Ｃ田Ｄ子」というキーワードで登録されており、無線ＬＡＮ回線を利用して接続する相手として無線ＬＡＮ利用可能項目には「１」と登録されている。
【００９２】
通信方法決定部５７は、相手局識別子記憶部５６に格納されるデータ群から、送られた電話番号に該当する登録者を検索し、無線ＬＡＮ回線を利用しても良い相手であるかどうかの判定を行う。そして、無線ＬＡＮ回線を利用する相手として登録されている場合は、この相手局の電話番号を無線ＬＡＮ利用相手局記憶部５８に格納する。
【００９３】
また、無線ＬＡＮ利用相手局記憶部５８に格納された電話番号に対しては無線ＬＡＮを利用して接続ができる旨を視覚的に表示するため、表示処理部５９において画面表示のための信号処理が施された後、表示部６１に無線ＬＡＮ利用可能状態である相手局の情報が表示される。
【００９４】
図６は、表示部６１に表示される無線ＬＡＮ利用可能状態である相手局の一覧表示画面の一例である。このように利用者は、画面を確認することによって、その時点において無線ＬＡＮ回線を利用して接続できる相手の一覧を確認することができる。このとき、例えば「Ｃ田Ｄ子」を選択して「ＯＫ」ボタンを操作することで、「Ｃ田Ｄ子」に対して無線ＬＡＮを介して呼び出しを開始する構成とすることもできる。
【００９５】
また、通信可能データ作成部６４が、無線ＬＡＮ利用相手局記憶部５８に格納された電話番号の相手先と無線ＬＡＮを介して接続可能である旨の情報信号である通信可能データを作成し、この通信可能データを無線ＬＡＮ回線送信部４４より当該相手先に送信する。上の例では、電話番号０９０２で特定される携帯電話機２に対して携帯電話機３から通信可能データが送信される。
【００９６】
図７（ａ）は、無線ＬＡＮを介して送受信されるデータのデータ構造を示している。また、図７（ｂ）はこのデータの一例である。無線ＬＡＮを介して送受信される無線ＬＡＮ用データ７０は、発信先情報７１と、情報の種類を表す情報であるヘッダ情報７２と、発信元情報７３と、情報の内容を表す内容情報７４と、で構成される。このように構成される情報のストリームが発信元の携帯電話機から発信される。
【００９７】
発信先情報７１は、発信先の携帯電話機を特定するための情報であり、例えば発信先である携帯電話機の電話番号が記載される。また、ヘッダ情報７２は、内容情報７４に記載される内容の種類について識別するために記載される。このヘッダ情報７２に記載される内容によって、内容情報７４に記載される内容が音声データであるか、通信可能データであるか、識別子データであるか、呼出信号であるか、切断信号であるかを判定することができる。
【００９８】
また、発信元情報７３は、発信元の携帯電話機を特定するための情報であり、例えば発信元である携帯電話機の電話番号が記載される。そして内容情報７４には、発信元から発信先に対して実際に送信すべき内容が記載されており、例えば音声データ、通信可能データ、識別子データ、呼出信号、切断信号などで構成される。
【００９９】
携帯電話機３の無線ＬＡＮ回線送信部４４から携帯電話機２に対して送信される通信可能データは、携帯電話機２の無線ＬＡＮ回線受信部１３によって受信される。そして、無線ＬＡＮ回線受信部１３によって受信されたデータは、データ解析部１９に送られて解析が行われる。
【０１００】
上述のように、無線ＬＡＮを介して送られるデータ構造のヘッダ情報７２を解析することで、当該データの種類が判定できる。この場合、携帯電話機３から送信された通信可能データであるため、ヘッダ情報７２には通信可能データである旨の情報が記載されており、データ解析部１９は、この情報が通信可能データであることを判定して、その旨の情報をデータ解析制御部２１に送信する。
【０１０１】
データ解析制御部２１は、データ解析部１９が無線ＬＡＮ回線受信部１３から受信したデータが通信可能データであることを通知されると、データ解析部１９に対し、当該通信可能データを無線ＬＡＮ利用相手局記憶部２８に出力させる指示を行う。そして、無線ＬＡＮ利用相手局記憶部２８は、送られた通信可能データに記載されている発信元の携帯電話機３を無線ＬＡＮ回線を介して接続可能である相手先として記憶する。
【０１０２】
そして、無線ＬＡＮ利用相手局記憶部２８に格納された電話番号に対しては無線ＬＡＮを利用して接続ができる旨を視覚的に表示するため、表示処理部２９において画面表示のための信号処理が施された後、表示部３１に無線ＬＡＮ利用可能状態である相手局の情報が表示される。
【０１０３】
これによって、携帯電話機２には、無線ＬＡＮ利用可能相手局として携帯電話機３が登録される。一方、上述のように、携帯電話機３には無線ＬＡＮ利用可能相手局として携帯電話機２が登録されており、互いに無線ＬＡＮを介して接続可能な状態であることが認識されている状況である。
【０１０４】
＜＜２．固定経由無線ＬＡＮ接続による通話判定＞＞
次に、通話元の携帯電話機２と公衆網利用時に経由される固定電話機４とが無線ＬＡＮ回線を介して接続可能であるかを判定する方法について以下に説明を行う。図８は、固定電話機４の構成を示すブロック図である。なお、携帯電話機２と固定電話機４とが無線ＬＡＮ回線を介して接続可能であるか否かの判定方法は、上述した携帯電話機２と携帯電話機３との間で行われる判定に準じるものである。
【０１０５】
また、以下では携帯電話機２が固定電話機４に対して無線ＬＡＮ回線を介して接続可能であるかどうかの判定を要求し、固定電話機４が携帯電話機２に対して当該判定結果を返信する構成として説明を行うが、上述と同様、逆に固定電話機４が携帯電話機２に対して無線ＬＡＮ回線を介して接続可能であるかどうかの判定を要求し、携帯電話機２が固定電話機４に対して当該判定結果を返信する構成であっても構わないし、両者が互いに無線ＬＡＮ回線を介して接続可能かどうかの判定を要求する構成であっても構わない。
【０１０６】
固定電話機４は、無線ＬＡＮ回線対応の携帯電話機から無線ＬＡＮ回線が利用可能かどうかについての判定を要求する信号を受信すると、実際に当該判定を行った後、利用可能な状態であれば、その旨の信号を返信する機能を備える。
【０１０７】
図８に示す固定電話機４は、公衆電話回線からの信号を受信する公衆電話回線受信部８１と、公衆電話回線に対して信号を送信する公衆電話回線送信部８２と、無線ＬＡＮ回線からの信号を受信する無線ＬＡＮ回線受信部８３と、無線ＬＡＮ回線に対して信号を送信する無線ＬＡＮ回線送信部８４と、を備える。また、公衆電話回線受信部８１から受信した信号に対して所定の制御を行う公衆電話回線受信信号制御部１０７と、を備える。
【０１０８】
公衆電話回線受信信号制御部１０７は、公衆電話回線受信部８１より信号を受信した際、固定電話機４が他の電話機との間で通信中である場合、音声変換等の処理を行わずに送信元に対して通信中である旨の信号を公衆電話回線送信部８２から送信する指示を行う。また、他の電話機との間で通信中でない場合には、公衆電話回線受信部８１に対して、受信信号を音声出力変換部９３に出力して利用者が耳で聞くことのできる形式に変換する旨の指示を行う。
【０１０９】
更に、固定電話機４は、利用者が外部より音声を入力する音声入力部８５と、音声入力部８５に入力された音声を公衆電話回線を介して送信できる形式に変換する入力音声変換部８６と、公衆電話回線を介して通信を行うか無線ＬＡＮ回線を介して通信を行うかの選択を行う通信方法選択部８７と、入力された音声を無線ＬＡＮ回線を介して送信できる形式に変換する無線ＬＡＮ用データ変換部８８と、を備える。また、通信相手との通信開始あるいは通信停止等の制御を行う通信制御部１０４を備える。
【０１１０】
更に、固定電話機４は、無線ＬＡＮ回線受信部８３から受信されたデータの解析を行うデータ解析部８９と、データ解析部８９に対する制御を行うデータ解析制御部９１と、データ解析部８９によって無線ＬＡＮ回線受信部８３から受信されたデータが音声データと判別された場合に当該音声データを公衆電話回線の形式に変換する電話回線用データ変換部９２と、公衆電話回線受信部８１及び電話回線用データ変換部９２から与えられる音声データを利用者によって聴覚可能な形式に変換する音声出力変換部９３と、音声出力変換部９３から出力される音声データを外部に出力する音声出力部９４と、を備える。利用者は、音声出力部９４から出力される音声データを耳にすることで、通話相手の発声を認識することができる。
【０１１１】
また、固定電話機４は、後述するように無線ＬＡＮ対応の携帯電話機の親機としての機能を持つことができ、この場合、固定電話機４は中継局の役割を果たす。すなわち、無線ＬＡＮ回線受信部８３から受信された子機としての携帯電話機からの音声データが、電話回線用データ変換部９２に与えられて公衆電話回線の形式に変換されるとともに、この変換されたデータが公衆電話回線送信部８２に与えられ、公衆網を介して通信先へと送られる。なお、固定電話機４の子機としての機能を付与する対象である携帯電話機のことを、以下では「子機対象携帯電話機」と称する。
【０１１２】
このとき、公衆電話回線受信信号制御部１０７は、公衆電話回線受信部８１より信号を受信した際、子機対象携帯電話機との間で子機機能付与のための通信が行われている場合には、公衆電話回線受信部８１に対して、受信信号を音声出力変換部９３に出力して利用者が耳で聞くことのできる形式に変換する旨の指示を行うものとする。
【０１１３】
更に、固定電話機４は、他の携帯電話機からの呼出信号を受信したときに、呼び出し音を出力したり、呼び出しがあった旨の内容を画面に表示させるための表示処理を行う呼出処理部１０５を備える。また、他の携帯電話機からの切断信号を受信したときに、切断音を出力させるための処理や、切断処理があった旨の内容を画面に表示させるための処理を行う切断処理部１０８を備える。
【０１１４】
更に、固定電話機４は、利用者によって操作される操作部９５と、操作部９５の操作内容に基づいて後段に所定の指示を与える操作制御部１０６とを備える。操作部９５は、複数の操作子で構成されており、利用者が操作部９５を操作することで、例えば相手先の電話番号の入力や、発信及び応答処理の開始指示を行うことができる。
【０１１５】
更に、固定電話機４は、利用者が操作部９５を操作することで登録された相手先の電話番号を記憶する相手局識別子記憶部９６と、データ解析部８９によって無線ＬＡＮ回線受信部８３から受信されたデータが、相手局から送信された情報信号であって相手局の電話番号の情報（識別子データ）であると判別された場合に当該電話番号に対応する相手との接続方法を公衆電話回線と無線ＬＡＮ回線のいずれを選択するかについての決定を行う通信方法決定部９７と、この通信方法決定部９７によって無線ＬＡＮ接続が可能であると判断された場合に、この相手局とは無線ＬＡＮ接続が可能であるという内容の情報を登録する無線ＬＡＮ利用相手局記憶部９８と、この無線ＬＡＮ利用相手局記憶部９８に記憶されている相手局に対しては無線ＬＡＮを利用して接続可能な状態である旨の表示を画面上に行うための表示処理を行う表示処理部９９と、表示処理部９９によって表示された情報を表示する表示部１０１と、を備える。
【０１１６】
なお、固定電話機４は、利用者が操作部９５を操作することで相手局識別子記憶部９６に固定電話機４の子機としての機能を持たせることを許可する携帯電話機の電話番号を登録できる構成とする。すなわち、相手局識別子記憶部９６には、電話番号のみが登録されている端末と、子機としての機能を付与できる旨の情報とともに電話番号が登録されている端末とが記憶される。
【０１１７】
このとき、固定電話機４の子機としての機能を付与される携帯電話機は、後述するように、固定電話機４に対して呼び出しがあった場合に、当該携帯電話機に呼び出しが転送されるとともに、携帯電話機で応答することができる構成である。なお、この際、子機としての携帯電話機と固定電話機との間では無線ＬＡＮ回線を介して通信が行われるとともに、固定電話機と呼び出し元の端末とは公衆電話回線を介して通信が行われる。
【０１１８】
また、逆に、固定電話機４の子機としての機能を付与される携帯電話機から、呼出先に対して通話を行う際、固定電話機４との間で無線ＬＡＮ接続が可能な範囲内であれば、無線電話回線を介して通話を行うことなく、固定電話機４との間で無線ＬＡＮ接続を行うとともに、固定電話機４から公衆電話回線を介して呼出先との間で通話が行われる。
【０１１９】
更に、固定電話機４は、データ解析部８９によって無線ＬＡＮ回線受信部８３から受信されたデータが不要なデータであると判定された場合に当該データを廃棄するデータ廃棄部１０２と、無線ＬＡＮ利用相手局記憶部９８によって無線ＬＡＮ回線を利用して接続する内容が記憶されている相手局に対してその旨の情報を記載した通信可能データを作成する通信可能データ作成部１０３と、を備える。
【０１２０】
この通信可能データ作成部１０３によって作成された通信可能データは、無線ＬＡＮ回線送信部８４に送られ、無線ＬＡＮ接続を行う各相手局に対して無線ＬＡＮ回線を介して送信される。
【０１２１】
このように固定電話機４が構成されるとき、携帯電話機２と固定電話機４との間で無線ＬＡＮ回線を介して接続可能であるかどうかの判定動作については、携帯電話機２と携帯電話機３との間で行われる接続可能判定動作に準じるので、以下では簡単に説明する。
【０１２２】
なお、携帯電話機２が子機対象携帯電話機であって、固定電話機４との間で無線ＬＡＮ回線を介して接続可能である場合、無線ＬＡＮ利用相手局記憶部９８において、携帯電話機２が子機利用可能状態である旨の情報が格納される。
【０１２３】
上述のように、携帯電話機２は、自局識別子データ作成部３４によって作成される自身の携帯電話番号の情報を逐次無線ＬＡＮ回線送信部１４から送信する。一方、固定電話機４は、無線ＬＡＮ回線受信部８３から受信するデータをデータ解析部８９によって解析する。このとき、データ解析部８９において、受信されたデータが識別子データ（携帯電話機の電話番号情報）であると判定された場合、この電話番号の情報を通信方法決定部９７に出力する。
【０１２４】
通信方法決定部９７は、予め相手局識別子記憶部９６に格納されるデータ群から、送られた電話番号と同一の電話番号を検索し、無線ＬＡＮ回線を利用しても良い相手であるかどうかの判定を行う。そして、無線ＬＡＮ回線を利用する相手として登録されている場合は、この相手局の電話番号を無線ＬＡＮ利用相手局記憶部８８に格納する。そして、通信可能データ作成部１０３が通信可能データを作成して無線ＬＡＮ回線送信部８４より当該相手先に送信する。
【０１２５】
このとき、上述したように、データ解析部８９から与えられる識別子データが、子機対象携帯電話機に該当する電話番号として相手局識別子記憶部９６において登録されている場合には、無線ＬＡＮ利用相手局記憶部９８において子機利用可能状態である旨の情報が併せて格納される。
【０１２６】
図９は、相手局識別子記憶部９６に登録されるデータ構造の一例を示す。電話番号０９０１は「Ａ野Ｂ夫」というキーワードで登録されており、無線ＬＡＮ回線を利用して接続しない相手として無線ＬＡＮ利用可能項目には「０」と登録されている。また、電話番号０９０２は「Ｃ田Ｄ子」というキーワードで登録されており、無線ＬＡＮ回線を利用して接続する相手として無線ＬＡＮ利用可能項目には「１」と登録されている。さらに、電話番号０９０２に該当する携帯電話機は、固定電話機４の子機対象携帯電話機であるとして子機対象項目が「１」と登録されている。一方、電話番号０９０１に該当する携帯電話機は、固定電話機４の子機対象電話機ではないため、子機対象項目には「０」と登録がされている。
【０１２７】
この場合、識別子データとして「０９０１」が与えられた場合、通信方法決定部９７は、当該番号を備える携帯電話機を無線ＬＡＮ利用相手局ではないことを認識し、無線ＬＡＮ利用相手局記憶部９８に登録を行わない。一方、識別子データとして「０９０２」が与えられた場合、通信方法決定部９７は、当該番号を備える携帯電話機が無線ＬＡＮ利用相手局であり、さらに子機対象携帯電話機であることを認識し、無線ＬＡＮ利用相手局記憶部９８にその旨の情報を格納する。
【０１２８】
固定電話機４の無線ＬＡＮ回線送信部８４から携帯電話機２に対して送信される通信可能データは、携帯電話機２の無線ＬＡＮ回線受信部１３によって受信される。そして、無線ＬＡＮ回線受信部１３によって受信されたデータは、データ解析部１９に送られて解析が行われる。このデータは、固定電話機４から送信された通信可能データであるため、その旨の情報をデータ解析制御部２１に送信する。
【０１２９】
データ解析制御部２１は、データ解析部１９が無線ＬＡＮ回線受信部１３から受信したデータが通信可能データであることを通知されると、データ解析部１９に対し、当該通信可能データを無線ＬＡＮ利用相手局記憶部２８に出力させる指示を行う。そして、無線ＬＡＮ利用相手局記憶部２８は、送られた通信可能データに記載されている発信元の固定電話機４を無線ＬＡＮ回線を介して接続可能である相手先として記憶する。
【０１３０】
そして、無線ＬＡＮ利用相手局記憶部２８に格納された電話番号に対しては無線ＬＡＮを利用して接続ができる旨を視覚的に表示するため、表示処理部２９において画面表示のための信号処理が施された後、表示部３１に無線ＬＡＮ利用可能状態である相手局の情報が表示される。
【０１３１】
これによって、携帯電話機２には、無線ＬＡＮ利用可能相手局として固定電話機４が登録される。一方、上述のように、固定電話機４には無線ＬＡＮ利用可能相手局として携帯電話機２が登録されており、互いに無線ＬＡＮを介して接続可能な状態であることが認識されている状況である。
【０１３２】
なお、携帯電話機２が固定電話機４の子機対象携帯電話機である場合、固定電話機４から携帯電話機２に対して送信される送信可能データが、子機利用可能状態である旨の情報を含む構成であるものとしてもよい。この場合、携帯電話機２が無線ＬＡＮ回線受信部１３で当該データを受信後、データ解析部１９でデータ解析を行うことで、固定電話機４の子機として利用可能状態であることを認識し、無線ＬＡＮ利用相手局記憶部２８に固定電話機４を「親機」として登録するものとしても構わない。さらにこのとき、表示部３１にもその旨の情報が表示されるものとしてよい。以下では、携帯電話機２が固定電話機４の子機対象電話機であるものとして説明を行う。
【０１３３】
＜＜３．通話手順説明＞＞
（３−１  ダイレクト無線ＬＡＮ接続による通話）
この状態の下で、例えば携帯電話機２が携帯電話機３に対して通話を試みることを考える。利用者は携帯電話機２の操作部２５を操作して、携帯電話機３を呼び出す指示を行う。操作部２５の操作内容は操作制御部３７に送られて、操作制御部３７において、当該操作内容が携帯電話機３の呼出指示であることを確認すると、携帯電話機３に対して呼出処理を行うための指示を通信制御部３５に与える。
【０１３４】
通信制御部３５は、通信方法選択部１７に対して、呼び出し先である電話番号が無線ＬＡＮ利用相手局記憶部２８に登録されているかどうかの確認を行う指示を出し、通信方法選択部１７は、呼出先電話番号が無線ＬＡＮ利用相手局記憶部２８に登録されていれば無線ＬＡＮ回線を選択する。
【０１３５】
一方、呼出先電話番号が無線ＬＡＮ利用相手局記憶部２８に登録されていない場合であって、親機である固定電話機４が無線ＬＡＮ利用相手局記憶部２８に登録されている場合には、通信方法選択部１７が無線ＬＡＮ回線を選択するとともに、データを固定電話機４経由で携帯電話機３に送信する旨の情報に変更する。これについては後述する。
【０１３６】
さらに、呼出先電話番号および親機である固定電話機４のいずれもが無線ＬＡＮ利用相手局記憶部２８に登録されていない場合には、通信方法選択部１７は通信回線として無線電話回線を選択する。
【０１３７】
まず、携帯電話機３が既に無線ＬＡＮ利用可能相手局として無線ＬＡＮ利用相手局記憶部２８に登録されている場合について説明する。この場合、通信方法選択部１７によって無線ＬＡＮ回線が選択されて、無線ＬＡＮ用データ変換部１８によって、携帯電話機３を呼び出す内容である呼出信号が無線ＬＡＮで送信できる形式に変換され、無線ＬＡＮ回線送信部１４から携帯電話機３に対してこのデータが送信される。
【０１３８】
なお、通信方法選択部１７は、通信方法を確認する指示が与えられるまで現状の通信方法を維持するものとしても構わない。この場合、現時点では無線ＬＡＮ回線が選択されたままの状態である。
【０１３９】
通信制御部３５は、携帯電話機３に対して無線ＬＡＮ回線を介して呼出信号を送出している旨の情報をデータ解析制御部２１に出力する。これは、後述するように携帯電話機３を呼出中に携帯電話機２に対して他の携帯電話機からの呼び出しがあった場合に、呼出処理を行わないようにするための処置である。
【０１４０】
携帯電話機３は、無線ＬＡＮ回線受信部４３によって、携帯電話機２からの呼出信号を受信する。この受信したデータは、データ解析部４９に送られてデータの種類が判定される。データ解析部４９はヘッダ情報７２を解析することで受信データが呼出信号であることを確認すると、発信元情報７３を解析して発信元の情報を取得してデータ解析制御部５１に出力する。
【０１４１】
データ解析制御部５１は、データ解析部４９が無線ＬＡＮ回線受信部４３から受信したデータが呼出信号であることを通知されると、与えられた発信元情報が無線ＬＡＮ利用相手局記憶部５８に登録されているかどうかの判定を行う。
【０１４２】
上述のように、発信元からの携帯電話機から発信された識別子データを受信しており、更に、当該発信元が無線ＬＡＮ回線を利用しても良い相手として相手局識別子記憶部５６に予め登録されていれば、当該発信元の携帯電話機の電話番号は無線ＬＡＮ利用相手局記憶部５８に記憶されている。この場合、既に携帯電話機２の識別子データを受信しており、また相手局識別子記憶部５６に携帯電話機２が無線ＬＡＮ回線を利用してもよい相手として登録されているため、無線ＬＡＮ利用相手局記憶部５８には携帯電話機２の電話番号が登録されている。
【０１４３】
データ解析制御部５１は、発信元である携帯電話機の電話番号が無線ＬＡＮ利用相手局記憶部５８に登録されていることを確認すると、呼出処理部６６に携帯電話機２からの呼出があったことを示す信号を出力する。呼出処理部６６は、携帯電話機２からの呼び出しがあったことを携帯電話機３の画面に表示するための表示処理を表示処理部５９に指示する。表示処理部５９は、呼出処理部６６からの指示に基づいて表示処理を行った後、当該処理された信号を表示部６１に与え、表示部６１が表示処理部５９からの信号に基づいて携帯電話機２からの呼び出しがあった旨の内容を表示する。
【０１４４】
また、呼出処理部６６は、呼び出しがあったことを示す呼出音を音声出力変換部５３に与える。音声変換出力部５３は、呼出処理部６６より与えられた呼出音を聴覚可能な形式に変換した後、音声出力部５４に出力する。これによって、利用者は、音声出力部５４から呼出音が鳴っていることを知覚し、他の電話機からの呼び出しがあったことを認識する。
【０１４５】
更に、呼出処理部６６は、通信制御部６５に対して、携帯電話機２からの呼び出しに対する応答待ち状態である旨の信号を出力する。また、通信制御部６５は、携帯電話機２からの呼び出しに対する応答待ち状態であることをデータ解析制御部５１に出力する。これは、後述するように携帯電話機２から呼び出しが行われている最中に携帯電話機３に対して他の携帯電話機からの呼び出しがあった場合に、呼出処理を行わないようにするための処置である。
【０１４６】
一方、発信元である携帯電話機の電話番号が無線ＬＡＮ利用相手局記憶部２８に登録されていない場合は、データ解析制御部５１は呼出処理部６６に対して呼出指示を行わず、データ解析部４９に対して無線ＬＡＮ回線受信部４３からの受信データをデータ廃棄部６３に出力させ、当該データを廃棄する。このようにすることで、自局の携帯電話機が他の携帯電話機に誤って無線ＬＡＮ利用可能相手局として登録されている場合でも、発信元の携帯電話機が自局に登録されていない場合には無線ＬＡＮ回線を介して呼び出しが行われないため、高い信頼性が確保できる。
【０１４７】
なお、このとき、呼出があったことを利用者が後から確認できるように、受信したデータを保存する受信データ一時記憶部（不図示）を備えるとともに、この受信データ一時記憶部に当該受信データを出力して一時的に保存するものとしても良い。このようにすることで、呼出中に別の携帯電話機からの呼出があった場合に、利用者が呼出元の情報を受信データ一時記憶部から読み出して確認することができる。そして、確認後、この受信データ一時記憶部に保管されたデータをデータ廃棄部６３に出力して、当該データを廃棄するものとしても良い。
【０１４８】
また、このとき、通信元である携帯電話機２に対して無線ＬＡＮ回線を介した通信ができない旨の信号を無線ＬＡＮ回線送信部４４から送信するものとしても良い。
【０１４９】
携帯電話機３の利用者は、音声出力部５４から出力される呼出音及び表示部６１に出力される携帯電話機２からの呼び出しがあったことを示す通知より、携帯電話機２から呼び出しがあったことを知覚する。そして、当該呼出に応答をする際は、操作部５５を操作することで呼出に応答する旨の信号を操作制御部６７に与える。操作制御部６７は、与えられた信号が呼出に対する応答信号であることを認識すると、当該応答信号を通信制御部６５に出力する。通信制御部６５は、送られてきた応答信号が携帯電話機２からの応答待ちに対する応答信号であることを認識すると、通信方法選択部４７に対して無線ＬＡＮ回線を利用して携帯電話機２との間で通信を行う旨の指示を行う。
【０１５０】
なお、通信方法選択部４７は、通信方法を確認する指示が与えられるまで現状の通信方法を維持するものとする。即ち、現時点では、無線ＬＡＮ回線が選択されたままの状態にあるものとする。
【０１５１】
また、通信制御部６５は、データ解析制御部５１に対して、携帯電話機２との間で無線ＬＡＮ通信中であることを示す情報を出力する。これは、携帯電話機２との間で無線ＬＡＮ回線を介して通信（通話）を行っている最中に携帯電話機３に対して他の携帯電話機からの呼び出しがあった場合に、呼出処理を行わないようにするための処置である。
【０１５２】
なお、携帯電話機２との間で無線ＬＡＮ回線を介して通信（通話）を行っている最中に、無線電話回線を介して他の電話機から呼出があった場合は、無線電話回線受信部４１より受信された呼出信号が無線電話回線受信信号制御部６８に与えられるとともに、この無線電話回線受信信号制御部６８が通信制御部６５からの信号に基づいて、携帯電話機３が通信中であることを確認すると、その旨の信号を無線電話回線送信部１２から送信する指示を行う。このように構成されることで、無線ＬＡＮ回線を介して通信中に、無線電話回線からの呼出があっても呼出処理が行われない。
【０１５３】
利用者が音声入力部４５から音声を入力すると、入力された音声が入力音声変換部４６に送られて無線電話回線を介して送信できる形式に変換される。このとき、上記のように通信方法選択部４７において無線ＬＡＮ回線を介して通信を行うように選択されているため、入力音声変換部４６から出力された音声データは無線ＬＡＮ用データ変換部４８に出力される。無線ＬＡＮ用データ変換部４８は、この音声データが無線ＬＡＮ回線を介して携帯電話機２に送信されるように当該音声データに対してデータ形式の変換を行う。なお、無線ＬＡＮ用データ変換部４８において図７に示されるデータ構造の形式に変換されるものとして良い。
【０１５４】
そして、無線ＬＡＮ用データ変換部４８で変換された音声データは、無線ＬＡＮ回線送信部４４に送られて、無線ＬＡＮ回線を介して携帯電話機２に送信される。
【０１５５】
携帯電話機２は、無線ＬＡＮ回線受信部１３において、無線ＬＡＮ回線を介して携帯電話機３からの音声データを受信する。この受信されたデータは、データ解析部１９に送られてデータ解析が行われる。上述のように、無線ＬＡＮを介して送られるデータ構造のヘッダ情報７２を解析することで、当該データの種類が判定できる。この場合、携帯電話機３から送信された音声データであるため、ヘッダ情報７２には音声データである旨の情報が記載されており、データ解析部１９は、この情報が音声データであることを判定して、その旨の情報をデータ解析制御部２１に出力する。また、このとき、発信元情報７３についても合わせてデータ解析制御部２１に出力する。
【０１５６】
上述したように、データ解析制御部２１には予め通信制御部３５より携帯電話機３に対して無線ＬＡＮ回線を介して呼出信号を送出している旨の情報が与えられている。このとき、データ解析制御部２１は、発信元情報７３が携帯電話機３を示していない受信データを全てデータ廃棄部６３に出力するようにデータ解析部４９に指示するものとする。
【０１５７】
このようにすることで、携帯電話機２は携帯電話機３からの応答以外の信号を受信できない構成とすることができる。即ち、現時点では、携帯電話機２は携帯電話機３に対して呼出を行っている最中であり、この間に例えば他の携帯電話機からの呼出信号を受信することで携帯電話機３以外の携帯電話機との間で通話が行われることを防止することができる。
【０１５８】
データ解析制御部２１は、データ解析部１９より無線ＬＡＮ回線受信部１３より受信したデータが携帯電話機３からの音声データであることを通知されると、データ解析部１９に対して当該音声データを電話回線用データ変換部２２に出力する指示を行う。電話回線用データ変換部２２は、データ解析部１９より与えられた音声データに所定のデータ変換を施して、無線電話回線を介して受信した音声データと同一の形式に変換する。
【０１５９】
更にこのとき、データ解析制御部２１は、携帯電話機２が携帯電話機３との間で無線ＬＡＮ通信中であることを認識する。従って、この状態の下で、携帯電話機２に対して他の携帯電話機からの呼び出しがあった場合にも、データ解析部２１は携帯電話機３との間で通信中であるために、当該呼出信号に対しては呼出処理を行わない。
【０１６０】
そして、電話回線用データ変換部２２によって変換された音声データは、音声出力変換部２３に出力されて、聴覚可能な形式に変換された後、音声出力部２４に出力される。このようにして、携帯電話機２の利用者は、携帯電話機３の音声入力部４５から入力された音声を音声出力部２４より確認することができる。
【０１６１】
そして、携帯電話機２の利用者が、音声出力部２４からの出力音声に応答するため、音声入力部１５より音声を入力すると、入力された音声が入力音声変換部１６に送られて無線電話回線を介して送信できる形式に変換される。このとき、上述のように通信方法選択部１７は無線ＬＡＮ回線を利用して通信を行うように選択されているため、入力音声変換部１６から出力された音声データは無線ＬＡＮ用データ変換部１８に出力される。無線ＬＡＮ用データ変換部１８は、この音声データが無線ＬＡＮ回線を介して携帯電話機３に送信されるように当該音声データに対してデータ形式の変換を行う。なお、無線ＬＡＮ用データ変換部１８において図７に示されるデータ構造の形式に変換されるものとして良い。
【０１６２】
そして、無線ＬＡＮ用データ変換部１８で変換された音声データは、無線ＬＡＮ回線送信部１４に送られて、無線ＬＡＮ回線を介して携帯電話機３に送信される。
【０１６３】
携帯電話機３は、携帯電話機２が携帯電話機３からの音声データを受信した場合と同様に、無線ＬＡＮ回線受信部４３において、無線ＬＡＮ回線を介して携帯電話機２からの音声データを受信する。この受信されたデータは、データ解析部４９に送られてデータ解析が行われる。上述のように、無線ＬＡＮを介して送られるデータ構造のヘッダ情報７２を解析することで、当該データの種類が判定できる。この場合、携帯電話機２から送信された音声データであるため、ヘッダ情報７２には音声データである旨の情報が記載されており、データ解析部４９は、この情報が音声データであることを判定して、その旨の情報をデータ解析制御部５１に出力する。また、このとき、発信元情報７３についても合わせてデータ解析制御部５１に出力する。
【０１６４】
データ解析制御部５１は、上述のように携帯電話機３が携帯電話機２との間で無線ＬＡＮ通信中であることを認識しているため、無線ＬＡＮ回線受信部４３から受信したデータが携帯電話機２から送信された音声データであることを確認すると、データ解析部４９に対して当該音声データを電話回線用データ変換部５２に出力する指示を行う。電話回線用データ変換部５２は、データ解析部４９より与えられた音声データに所定のデータ変換を施して、無線電話回線を介して受信した音声データと同一の形式に変換する。
【０１６５】
そして、電話回線用データ変換部５２によって変換された音声データは、音声出力変換部５３に出力されて、聴覚可能な形式に変換された後、音声出力部５４に出力される。このようにして、携帯電話機３の利用者は、携帯電話機２の音声入力部１５から入力された音声を音声出力部５４より確認することができる。
【０１６６】
以上のように、携帯電話機２から携帯電話機３に対して呼出が行われたとき、携帯電話機３の利用者が当該呼出に応答して入力した音声が、携帯電話機２に無線ＬＡＮ回線を介して送信され、携帯電話機２の利用者が携帯電話機３の利用者の音声に応答して入力した音声が、無線ＬＡＮ回線を介して送信されて携帯電話機３の利用者によって確認される。このようにして、無線ＬＡＮ回線を介して携帯電話機間での通信（通話）を行うことができる。
【０１６７】
次に、このように接続された状態で、携帯電話機３が無線ＬＡＮ回線を切断する場合について説明する。これは、携帯電話機２の利用者と携帯電話機３の利用者との間で行われていた通話を完了する手続に相当する。
【０１６８】
携帯電話機３の利用者が、操作部５５を操作して無線ＬＡＮ回線を切断する指示を行う。操作部５５の操作内容は操作制御部６７に送られて、操作制御部６７において、当該操作内容が接続中の無線ＬＡＮ回線を切断する指示であることを確認すると、通信制御部６５に対して接続中の無線ＬＡＮ回線を切断する指示を与える。
【０１６９】
通信制御部６５は、通信方法選択部４７を介して切断信号を無線ＬＡＮ用データ変換部４８に送信するとともに（通信方法選択部４７によって無線ＬＡＮ回線が選択された状態である）、データ解析制御部５１に対して無線ＬＡＮ回線切断中である旨の情報を送信する。切断信号は無線ＬＡＮ用データ変換部４８において無線ＬＡＮで送信できる形式に変換され、無線ＬＡＮ回線送信部４４から携帯電話機２に対してこのデータが送信される。また、データ解析制御部５１は、無線ＬＡＮ回線切断状態であることを認識すると、この時点以後に無線ＬＡＮ回線受信部４３より受信した携帯電話機２からの音声データをデータ廃棄部６３に出力する指示を与える。これによって、携帯電話機３の利用者が切断指示を行った後、携帯電話機２から送信された音声データが音声出力部５４から出力されることがない。
【０１７０】
一方、携帯電話機２は、無線ＬＡＮ回線受信部１３によって、携帯電話機３からの切断信号を受信する。この受信したデータは、データ解析部１９に送られてデータの種類が判定される。データ解析部１９はヘッダ情報７２及び発信元情報７３を解析し、解析結果をデータ解析制御部２１に出力する。データ解析制御部２１は、無線ＬＡＮ回線受信部１３から受信データが携帯電話機３からの切断信号であることを確認すると、切断処理部３９に携帯電話機３からの切断指示があったことを示す信号を出力する。このとき、データ解析制御部２１は、携帯電話機２が他のいずれの携帯電話機とも非接続状態であることを認識する。
【０１７１】
またデータ解析制御部２１は、通信制御部３５に対し、携帯電話機２が非接続状態にある旨の信号を出力する。
【０１７２】
切断処理部３９は、携帯電話機３からの切断指示があったことを携帯電話機２の画面に表示するための表示処理を表示処理部２９に指示する。表示処理部２９は、切断処理部３９からの指示に基づいて表示処理を行った後、当該処理された信号を表示部３１に与え、表示部３１が表示処理部２９からの信号に基づいて携帯電話機３からの無線ＬＡＮ回線が切断された旨の内容を表示する。
【０１７３】
また、切断処理部３９は、切断されたことを示す切断音を音声出力変換部２３に与える。音声出力変換部２３は、切断処理部３９より与えられた切断音を聴覚可能な形式に変換した後、音声出力部２４に出力する。これによって、利用者は、音声出力部２４から切断音が鳴っていることを知覚し、携帯電話機２と切断されたことを認識する。
【０１７４】
このようにして、切断指示を行った携帯電話機３、及び切断信号を受信した携帯電話機２の双方で切断処理が行われ、両者が無線ＬＡＮ回線を介して接続されない状態に戻る。この状態の下で、他の携帯電話機からの呼出信号を受信すると、データ解析制御部２１あるいはデータ解析制御部５１は、他の携帯電話機と非接続状態であることを認識しているため、各携帯電話において上述した呼出処理が行われる。
【０１７５】
なお、携帯電話機２と携帯電話機３とが無線ＬＡＮ回線を介して接続中に、携帯電話機２の利用者が当該無線ＬＡＮ回線を切断する指示を行う場合も、上述と同様に行うことが可能である。
【０１７６】
（３−２  固定経由無線ＬＡＮ接続による通話）
次に、携帯電話機２が携帯電話機３に対して通話を試みる場合であって、携帯電話機２の無線ＬＡＮ利用相手局記憶部２８に携帯電話機３が登録されておらず、一方で、親機としての機能を備える固定電話機４が無線ＬＡＮ利用相手局記憶部２８に登録されている場合について説明を行う。
【０１７７】
利用者は携帯電話機２の操作部２５を操作して、携帯電話機３を呼び出す指示を行う。操作部２５の操作内容は操作制御部３７に送られて、操作制御部３７において、当該操作内容が携帯電話機３の呼出指示であることを確認すると、携帯電話機３に対して呼出処理を行うための指示を通信制御部３５に与える。
【０１７８】
通信制御部３５は、通信方法選択部１７に対して、呼び出し先である電話番号が無線ＬＡＮ利用相手局記憶部２８に登録されているかどうかの確認を行う指示を出す。この場合は、携帯電話機２の無線ＬＡＮ利用相手局記憶部２８に携帯電話機３が登録されていないため、さらに固定電話機４が無線ＬＡＮ利用相手局記憶部２８に登録されているかどうかを確認する。
【０１７９】
通信方法選択部１７は、固定電話機４が無線ＬＡＮ利用相手局記憶部２８に登録されていることを確認すると、無線ＬＡＮ接続によって固定電話機４と接続するとともに、この固定電話機４より公衆網を利用して通信を行うことを決定する。なお、ダイレクト接続の場合と同様に、通信方法選択部１７は、通信方法を確認する指示が与えられるまで現状の通信方法を維持するものとしても構わない。この場合、現時点では固定電話機４との間で無線ＬＡＮ接続が選択されており、この無線ＬＡＮ回線が選択されたままの状態であるものとする。
【０１８０】
通信制御部３５は、携帯電話機３に対して呼出信号を送出している旨の情報をデータ解析制御部２１に出力する。これは、後述するように携帯電話機３を呼出中に携帯電話機２に対して他の携帯電話機からの呼び出しがあった場合に、呼出処理を行わないようにするための処置である。
【０１８１】
通信方法選択部１７によって、無線ＬＡＮ接続によって固定電話機４を介してその後公衆網より携帯電話機３に対して呼出を行うことが選択されると、無線ＬＡＮ用データ変換部１８によって、携帯電話機３を呼び出す内容である呼出信号が公衆電話機４に対して無線ＬＡＮで送信できる形式に変換され、無線ＬＡＮ回線送信部１４から固定電話機４に対してこのデータが送信される。
【０１８２】
なお、このとき無線ＬＡＮ用データ変換部１８において、呼出先が携帯電話機３であるともに、その中継局として固定電話機４に対して無線ＬＡＮ接続を行う旨の情報が作成されるものとする。そして、後述するように、固定電話機４が当該データを受信した際、固定電話機４を介して通信先である携帯電話機３に対して接続を行う旨の指示である内容がデータ解析部８９によって認識される構成である。
【０１８３】
このとき、無線ＬＡＮ回線送信部１４から送信される呼出信号の構成が、例えば図１０に示されるような構成であるとしてもよい。図１０は、携帯電話機２から固定電話機４を介して携帯電話機３を呼び出す呼出信号の構成を示すデータ構造の一例である。
【０１８４】
図１０に示されるデータ構造は、図７に示すデータに加えて、中継先情報７５を備える。今の場合、中継先として固定電話機４が指定されているため、この情報には固定電話機４の電話番号「０６０４」が付されている。なお、固定電話機を介して中継を行わない場合にもデータ構造として中継先情報を記載する領域を含むとともに、この場合には例えばヌル値が記載されるものとしても構わない。さらに、固定経由無線ＬＡＮ接続の場合には、ヘッダ情報７２にその旨の内容が追記される構成としても構わない。この場合、固定電話機４は、データ解析部８９によってヘッダ情報７２を解析することで、当該固定電話機４が中継局としての機能を備える旨の記載がされた情報であることを認識することができる。
【０１８５】
一方、固定電話機４は、無線ＬＡＮ回線受信部８３によって、携帯電話機２からの携帯電話機３に対する呼出信号を受信する。この受信したデータは、データ解析部８９に送られて、データの内容が判定される。データ解析部８９はヘッダ情報７２および中継先情報７５を解析することで、携帯電話機３に対する呼出信号であることを確認すると、この携帯電話機３に対して公衆電話回線を通じて呼出を行うために、電話回線用データ変換部９２が公衆電話回線用のデータを生成し、公衆電話回線送信部８２より公衆電話回線および無線電話回線を通じて携帯電話機３に対してこのデータが送信される。
【０１８６】
携帯電話機３は、無線電話回線受信部４１より無線電話回線を介して固定電話機４を介した携帯電話機２からの呼出信号を受信する。無線電話回線受信信号制御部６８は、携帯電話機３が他の電話機の通信中でないことを確認すると、呼出処理部６６に対して呼出処理を行う指示を与える。そして、呼出処理部６６から出力された呼出信号が音声出力変換部５３に与えられて利用者にとって聴覚可能な形式に変換され、この変換された音声信号が音声出力部５４から出力される。利用者は、音声出力部５４から呼出音が鳴っていることを知覚し、他の電話機からの呼び出しがあったことを認識する。
【０１８７】
さらに、呼出処理部６６は、携帯電話機２からの呼び出しがあったことを携帯電話機３の画面に表示するための表示処理を表示処理部５９に指示する。表示処理部５９は、呼出処理部６６からの指示に基づいて表示処理を行った後、当該処理された信号を表示部６１に与え、表示部６１が表示処理部５９からの信号に基づいて携帯電話機２からの呼び出しがあった旨の内容を表示する。
【０１８８】
なお、このとき、表示部６１に携帯電話機２からの呼出である旨の情報とともに、固定電話機４からの呼出である旨の情報を表示させるものとしても構わない。
【０１８９】
また、呼出処理部６６は、通信制御部６５に対して、携帯電話機２からの呼び出しに対する応答待ち状態である旨の信号を出力する。また、通信制御部６５は、携帯電話機２からの呼び出しに対する応答待ち状態であることをデータ解析制御部５１に出力する。これは、後述するように携帯電話機２から呼び出しが行われている最中に携帯電話機３に対して他の携帯電話機からの呼び出しがあった場合に、呼出処理を行わないようにするための処置である。
【０１９０】
携帯電話機３の利用者は、ダイレクト無線ＬＡＮ接続のときと同様、音声出力部５４から出力される呼出音及び表示部６１に出力される携帯電話機２からの呼び出しがあったことを示す通知より、携帯電話機２から呼び出しがあったことを知覚する。そして、当該呼出に応答をする際は、操作部５５を操作することで呼出に応答する旨の信号を操作制御部６７に与える。操作制御部６７は、与えられた信号が呼出に対する応答信号であることを認識すると、当該応答信号を通信制御部６５に出力する。通信制御部６５は、送られてきた応答信号が携帯電話機２からの応答待ちに対する応答信号であることを認識すると、通信方法選択部４７に対して無線電話回線を利用して固定電話機４を介して携帯電話機２との間で通信を行う旨の指示を行う。
【０１９１】
なお、通信方法選択部４７は、通信方法を確認する指示が与えられるまで現状の通信方法を維持するものとする。即ち、現時点では、無線電話回線が選択されたままの状態にあるものとする。
【０１９２】
また、通信制御部６５は、データ解析制御部５１に対して、固定電話機４との間で無線電話通信中であることを示す情報を出力する。これは、固定電話機４との間で無線電話回線を介して通信（通話）を行っている最中に携帯電話機３に対して他の携帯電話機からの呼び出しがあった場合に、呼出処理を行わないようにするための処置である。
【０１９３】
利用者が音声入力部４５から音声を入力すると、入力された音声が入力音声変換部４６に送られて無線電話回線を介して送信できる形式に変換される。このとき、上記のように通信方法選択部４７において無線電話回線を介して通信を行うように選択されているため、入力音声変換部４６から出力された音声データは無線電話回線送信部４２に送られ、無線電話回線を介して公衆網より固定電話機４に送信される。
【０１９４】
固定電話機４は、公衆電話回線受信部８１において、公衆電話回線を介して携帯電話機３からの音声データを受信する。このとき、この受信したデータが公衆電話回線受信信号制御部１０７に送られ、携帯電話機３から送られたデータであることを認識する。また、通信制御部１０４が、データ解析制御部９１で保持されている状態を確認することで、携帯電話機２から携帯電話機３に対する呼出が行われており、固定電話機４がその中継局として利用されている旨を把握すると、通信制御部１０４は、公衆電話回線受信信号制御部１０７に対して、受信データを携帯電話機２に出力する旨の指示を与える。
【０１９５】
公衆電話回線受信信号制御部１０７は、公衆電話回線受信部８１に対し、受信データを無線ＬＡＮ用データ変換部８８に出力する指示を与える。そして、無線ＬＡＮ用データ変換部８８において、無線ＬＡＮで送信できる形式に変換され、無線ＬＡＮ回線送信部８４より携帯電話機２に対して送信される。
【０１９６】
このとき、無線ＬＡＮ回線送信部８４より送信される携帯電話機３から発信された音声データには、発信元情報７３として携帯電話機３が、発信先情報７１として携帯電話機２が、そして中継先情報として固定電話機４がそれぞれ記されている。
【０１９７】
携帯電話機２は、無線ＬＡＮ回線受信部１３において、無線ＬＡＮ回線を介して固定電話機４から送信された音声データを受信する。この受信データは、データ解析部１９に送られてデータ解析が行われる。このとき、中継先情報７５を解析することで、固定電話機４は中継局であり、発信元情報７３に記されている携帯電話機３が発信元である旨の内容、および、ヘッダ情報７２より当該データが音声データである旨の内容を認識し、その旨の情報をデータ解析制御部２１に出力する。また、このとき、発信元情報７３についても合わせてデータ解析制御部２１に出力する。
【０１９８】
上述したように、データ解析制御部２１には予め通信制御部３５より携帯電話機３に対して無線ＬＡＮ回線を介して呼出信号を送出している旨の情報が与えられている。このとき、データ解析制御部２１は、発信元情報７３が携帯電話機３を示していない受信データを全てデータ廃棄部６３に出力するようにデータ解析部４９に指示するものとする。
【０１９９】
このようにすることで、携帯電話機２は携帯電話機３からの応答以外の信号を受信できない構成とすることができる。即ち、現時点では、携帯電話機２は携帯電話機３に対して呼出を行っている最中であり、この間に例えば他の携帯電話機からの呼出信号を受信することで携帯電話機３以外の携帯電話機との間で通話が行われることを防止することができる。
【０２００】
データ解析制御部２１は、データ解析部１９より無線ＬＡＮ回線受信部１３より受信したデータが携帯電話機３からの音声データであることを通知されると、データ解析部１９に対して当該音声データを電話回線用データ変換部２２に出力する指示を行う。電話回線用データ変換部２２は、データ解析部１９より与えられた音声データに所定のデータ変換を施して、無線電話回線を介して受信した音声データと同一の形式に変換する。
【０２０１】
更にこのとき、データ解析制御部２１は、携帯電話機２が携帯電話機３との間で無線ＬＡＮ通信中であることを認識する。従って、この状態の下で、携帯電話機２に対して他の携帯電話機からの呼び出しがあった場合にも、データ解析部２１は携帯電話機３との間で通信中であるために、当該呼出信号に対しては呼出処理を行わない。
【０２０２】
そして、電話回線用データ変換部２２によって変換された音声データは、音声出力変換部２３に出力されて、聴覚可能な形式に変換された後、音声出力部２４に出力される。このようにして、携帯電話機２の利用者は、携帯電話機３の音声入力部４５から入力された音声を音声出力部２４より確認することができる。
【０２０３】
そして、携帯電話機２の利用者が、音声出力部２４からの出力音声に応答するため、音声入力部１５より音声を入力すると、入力された音声が入力音声変換部１６に送られて無線電話回線を介して送信できる形式に変換される。このとき、上述のように通信方法選択部１７は無線ＬＡＮ回線を利用して通信を行うように選択されているため、入力音声変換部１６から出力された音声データは無線ＬＡＮ用データ変換部１８に出力される。無線ＬＡＮ用データ変換部１８は、この音声データが無線ＬＡＮ回線を介して固定電話機４に送信され、固定電話機４からさらに公衆電話回線を介して携帯電話機３に対して送信されるように当該音声データに対してデータ形式の変換を行う。なお、無線ＬＡＮ用データ変換部１８において図１０に示されるデータ構造の形式に変換されるものとして良い。
【０２０４】
このように無線ＬＡＮ用データ変換部１８で変換された音声データは、無線ＬＡＮ回線送信部１４に送られて、無線ＬＡＮ回線を介して固定電話機４に送信される。
【０２０５】
固定電話機４は、無線ＬＡＮ回線受信部８３において、無線ＬＡＮ回線を介して携帯電話機２からの音声データを受信する。この受信されたデータは、データ解析部８９に送られてデータ解析が行われる。データ解析部８９はヘッダ情報７２および中継先情報７５を解析することで、携帯電話機２から携帯電話機３に対する音声信号であることを確認すると、携帯電話機３に対して公衆電話回線を通じて音声信号を転送するために、電話回線用データ変換部９２が公衆電話回線用のデータを生成し、公衆電話回線送信部８２より公衆電話回線および無線電話回線を通じて携帯電話機３に対してこのデータが送信される。
【０２０６】
携帯電話機３は、無線電話回線受信部４１より無線電話回線を介して固定電話機４を介した携帯電話機２からの音声信号を受信する。無線電話回線受信信号制御部６８は、通信制御部６５より携帯電話機３が固定電話機４と無線電話回線を通じて通信をしている状態であることを確認して、受信した音声データを音声出力変換部５３に送り、聴覚可能な形式に変換した後、音声術力部５４より音声信号を出力する。このようにして、携帯電話機３の利用者は、携帯電話機２の音声入力部１５から入力された音声を音声出力部５４より確認することができる。
【０２０７】
以上のように、携帯電話機２から固定電話機４を介して携帯電話機３に対して呼出が行われる場合においても、携帯電話機３の利用者が当該呼出に応答して入力した音声が、無線電話回線および公衆電話回線を通じて固定電話機４に送信された後、さらに固定電話機４から携帯電話機２に無線ＬＡＮ回線を介して送信される。また携帯電話機２の利用者が携帯電話機３の利用者の音声に応答して入力した音声が、無線ＬＡＮ回線を介して固定電話機４に送信された後、さらに公衆電話回線および無線電話回線を介して送信されて携帯電話機３の利用者によって確認される。このようにして、固定電話機４を経由した携帯電話機間での通信（通話）を行うことができる。
【０２０８】
次に、このように接続された状態で、携帯電話機３が通信を切断する場合について説明する。これは、携帯電話機２の利用者と携帯電話機３の利用者との間で行われていた通話を完了する手続に相当する。
【０２０９】
携帯電話機３の利用者が、操作部５５を操作して現在の通信回線を切断する指示を行う。操作部５５の操作内容は操作制御部６７に送られて、操作制御部６７において、当該操作内容が接続中の回線を切断する指示であることを確認すると、通信制御部６５に対して接続中の無線電話回線を切断する指示を与える。
【０２１０】
通信制御部６５は、通信方法選択部４７を介して切断信号を無線電話回線送信部４２に送信する（通信方法選択部４７によって無線電話回線が選択された状態である）。そして、無線電話回線送信部４２より切断信号が無線電話回線および公衆電話回線を介して固定電話機４に送信される。
【０２１１】
固定電話機４は、公衆電話回線受信部８１において、公衆電話回線を介して携帯電話機３からの切断信号を受信する。そして、公衆電話回線受信信号制御部１０７が切断信号を受信したことを確認すると、通信制御部１０４に対して接続中の無線ＬＡＮ回線（固定電話機４と携帯電話機２との間の接続）を切断する指示を与える。
【０２１２】
通信制御部１０４は、通信方法選択部８７を介して切断信号を無線ＬＡＮ用データ変換部８８に送信するとともに、データ解析制御部９１に対して無線ＬＡＮ回線切断中である旨の情報（切断信号）を送信する。このとき、通信制御部１０４からの指示により、携帯電話機２との間では無線ＬＡＮ回線を通じて接続中であり、一方携帯電話機３との間では公衆電話回線を通じて接続中であることが認識されているものとしてよい。
【０２１３】
そして、この切断信号は無線ＬＡＮ用データ変換部８８において無線ＬＡＮで送信できる形式に変換され、無線ＬＡＮ回線送信部８４から携帯電話機２に対してこのデータが送信される。また、データ解析制御部９１は、無線ＬＡＮ回線切断状態であることを認識すると、この時点以後に無線ＬＡＮ回線受信部８３より受信した携帯電話機２からの音声データをデータ廃棄部１０２に出力する指示を与える。これによって、これ以後、携帯電話機２から送信された音声データが携帯電話機３に対して送信されることがない。
【０２１４】
一方、携帯電話機２は、無線ＬＡＮ回線受信部１３によって、固定電話機４からの切断信号を受信する。この受信したデータは、データ解析部１９に送られてデータの種類が判定される。データ解析部１９はヘッダ情報７２、発信元情報７３、中継先情報７５を解析し、解析結果をデータ解析制御部２１に出力する。データ解析制御部２１は、無線ＬＡＮ回線受信部１３から受信データが固定電話機４（携帯電話機３）からの切断信号であることを確認すると、切断処理部３９に携帯電話機３からの切断指示があったことを示す信号を出力する。このとき、データ解析制御部２１は、携帯電話機２が他のいずれの携帯電話機とも非接続状態であることを認識する。
【０２１５】
またデータ解析制御部２１は、通信制御部３５に対し、携帯電話機２が非接続状態にある旨の信号を出力する。
【０２１６】
切断処理部３９は、携帯電話機３からの切断指示があったことを携帯電話機２の画面に表示するための表示処理を表示処理部２９に指示する。表示処理部２９は、切断処理部３９からの指示に基づいて表示処理を行った後、当該処理された信号を表示部３１に与え、表示部３１が表示処理部２９からの信号に基づいて携帯電話機３からの接続が切断された旨の内容を表示する。
【０２１７】
また、切断処理部３９は、切断されたことを示す切断音を音声出力変換部２３に与える。音声出力変換部２３は、切断処理部３９より与えられた切断音を聴覚可能な形式に変換した後、音声出力部２４に出力する。これによって、利用者は、音声出力部２４から切断音が鳴っていることを知覚し、携帯電話機３と切断されたことを認識する。
【０２１８】
このようにして、切断指示を行った携帯電話機３、及び切断信号を受信した携帯電話機２の双方で切断処理が行われ、両者が接続されない状態に戻る。この状態の下で、他の携帯電話機からの呼出信号を受信すると、データ解析制御部２１あるいはデータ解析制御部５１は、他の携帯電話機と非接続状態であることを認識しているため、各携帯電話において上述した呼出処理が行われる。
【０２１９】
なお、携帯電話機３および固定電話機４のいずれもが携帯電話機２の無線ＬＡＮ利用相手局記憶部２８に登録されていない場合には、携帯電話機２が携帯電話機３に対して通話の申し込みを行うと、通常の無線電話回線を介して携帯電話機２と携帯電話機３との間で接続が行われる。
【０２２０】
また、上述では、携帯電話機２から携帯電話機３に対する通話の申し込みに関して説明を行ったが、携帯電話機２から他の固定電話機（不図示）に対して通話を申し込む場合であっても、固定電話機４と携帯電話機２とが無線ＬＡＮ回線によって通信可能な状態であれば、携帯電話機２から無線ＬＡＮ回線を介して固定電話機４を中継した後、公衆電話回線より通話先である固定電話機に接続されるものとして構わない。
【０２２１】
（３−３．子機利用通話）
次に、固定電話機４に対してかかってきた電話に子機対象携帯電話機である携帯電話機２でこの呼出に応答する手順について説明する。以下では、携帯電話機３から固定電話機４に対して呼出が行われている場合について説明を行うが、呼出元は無線ＬＡＮ対応の携帯電話機である必要はなく、通常の携帯電話機や固定電話機であっても構わない。
【０２２２】
固定電話機４は、公衆電話回線受信部８１より携帯電話機３からの呼出信号を受信する。公衆電話回線受信信号制御部１０７は、呼出信号を受信したことを確認すると、呼出処理部１０５に対して呼出処理を行う指示を与える。呼出処理部１０５は、音声出力変換部９３に対して呼出信号を送出するとともに、表示処理部９９に対して携帯電話機３からの呼出があった旨の表示を行う指示を与える。
【０２２３】
音声出力変換部９３は、呼出信号を利用者が聴覚可能な形式に変換して、音声出力部９４に送出する。このとき、音声出力部９４からは呼び出し音が発生する。
【０２２４】
このとき、通信制御部１０４が無線ＬＡＮ利用相手局記憶部８８に子機対象携帯電話機が登録されているかどうかの確認を行う指示を与える。このとき、子機対象携帯電話機が無線ＬＡＮ利用相手局記憶部８８に登録されていない場合には、音声出力部９４より呼び出し音を発生させるのみで、無線ＬＡＮ接続は行われない。
【０２２５】
一方、無線ＬＡＮ利用相手局記憶部８８に子機対象携帯電話機として携帯電話機２が登録されている場合、携帯電話機２に対してもこの呼出信号を無線ＬＡＮ回線を介して送信する。なお、この動作を行うか否かについては、あらかじめ固定電話機４によって設定できる構成としてもよい。
【０２２６】
このとき、無線電話回線受信信号制御部１０７が、呼出処理部１０５に対して携帯電話機２に対する呼出処理を行う旨の指示を与える。呼出処理部１０５は、呼出信号を通信制御部１０４に与え、通信制御部１０４から無線ＬＡＮ用データ変換部８８によって無線ＬＡＮデータに変換された後、無線ＬＡＮ回線送信部８４より携帯電話機２に送信される。
【０２２７】
携帯電話機２は、固定電話機４から与えられた呼出信号を無線ＬＡＮ回線受信部１３で受信する。以下の手順は、固定経由無線ＬＡＮ接続で上述した内容と同一であるため、詳細な説明を省略する。
【０２２８】
携帯電話機２からこの呼出に応答した場合、音声信号が無線ＬＡＮ回線送信部１４より固定電話機４に送られる。固定電話機４は、無線ＬＡＮ回線受信部８３で受信すると、データ解析部８９よりこの音声データが呼出に対する応答であることを確認して、公衆電話回線送信部８２より呼出元である携帯電話機３に送出する。このとき、呼出処理部１０５に対して、呼出信号の発生を停止させる指示を行うものとして構わない。
【０２２９】
このように、固定電話機４に対する呼出に子機対象携帯電話機から応答した場合、上述の固定経由無線ＬＡＮ接続と同一の手順により通話が成立する。一方、携帯電話機２に対しても呼出を行っているときに、固定電話機４より応答を行った場合には、当該携帯電話機２に対する呼出信号を停止させるものとして構わない。このとき、固定電話機４より切断信号が無線ＬＡＮ回線を介して携帯電話機２に送出されることで、携帯電話機２と固定電話機４の間での無線ＬＡＮ接続が切断されるものとしてもよい。
【０２３０】
上述したように、本発明の構成によれば、利用者が相手の携帯電話機に対して呼出を行う際、無線ＬＡＮ回線を用いて接続を行うか無線電話回線を用いて接続を行うかということを意識することなく、無線ＬＡＮ回線が利用可能な状態であれば無線ＬＡＮ回線を介して相手の携帯電話機に対して呼び出す旨の信号が送信され、無線ＬＡＮ回線が利用不可能な状態であれば無線電話回線を介して相手携帯電話機に対して呼び出す旨の信号が送信されるため、どちらの回線を利用して相手を呼び出すかということについて特に意識する必要はない。
【０２３１】
このとき、無線ＬＡＮ回線を介して呼び出された相手の携帯電話機も、通常の応答処理を行うことで、無線ＬＡＮ回線を介した通信が行われるため、どちらの回線を利用して相手から呼び出されたかということについて特に意識する必要はない。
【０２３２】
このため、無線ＬＡＮ回線を介して接続可能な環境下にある相手に対しては、利用者は特に意識することなく無線ＬＡＮ回線を介して通信が行われる構成であるため、無線ＬＡＮ回線の利用機会が向上する。
【０２３３】
また、無線ＬＡＮ回線対応の固定電話機が子機対象携帯電話機との間で無線ＬＡＮ回線で接続可能な領域に存在する場合には、当該携帯電話機が固定電話機の子機としての機能を備えることができる。このため、固定電話機に対してかかってきた電話に対して当該携帯電話機で応答することができ、利便性が向上する。なお、このとき、無線ＬＡＮ回線による接続が行われており、無線ＬＡＮ回線の利用機会が向上する。
【０２３４】
逆に、子機対象携帯電話機から他の電話機に対して通話を行う際、固定電話機との間で無線ＬＡＮ回線による接続が可能である場合には、携帯電話機から固定電話機を介して公衆電話回線による通話を行うことができる。この場合においても、無線ＬＡＮ回線の利用機会が向上する。
【０２３５】
このように、無線ＬＡＮ回線を利用可能な状態の下で、無線ＬＡＮ回線を介して他の携帯電話機との間で通話を行うことにより、無線電話回線を介して通話を行う場合と比較して、通信にかかる費用を減少させることができる。
【０２３６】
更に、災害等が発生した場合等で、無線電話回線が混雑して繋がりにくい状態である場合でも、無線ＬＡＮ回線を介して接続可能な相手との間においては無線ＬＡＮ回線を介して通話を行うことができるという効果もある。
【０２３７】
また、上述において、携帯電話機２が自局識別子データを作成する構成であり、携帯電話機３が通信可能データを作成する構成であるとして説明を行ったが、各携帯電話機がこれら両方の機能を備える構成であるものとしても構わない。固定電話機４においても、同様に通信可能データに加えて自局識別子データを作成するものとしても構わない。
【０２３８】
この場合、各携帯電話機ならびに固定電話機は、他の電話機から送信される通信可能データを受信した時点で、無線ＬＡＮ回線を介して接続可能な相手局として無線ＬＡＮ利用相手局記憶部に記憶されるものとすることができる。
【０２３９】
図１１に示す携帯電話機３ａは、図４に示す携帯電話機３の構成に加えて、携帯電話機３ａ自身の識別子データを作成する自局識別子データ作成部１２１を備える構成である。
【０２４０】
即ち、図３に示す携帯電話機２の構成では、他の携帯電話機から送信された通信可能データを受信すると、当該通信可能データの送信元である携帯電話機とは自動的に無線ＬＡＮ接続可能相手として無線ＬＡＮ利用相手局記憶部に記憶される構成であったのに対し、図１１に示すように各携帯電話機が通信可能データを作成する機能を備える構成にすることで、無線ＬＡＮを介して接続する相手局かどうかの判定を通信方法決定部５７によって行うことができるため、無線電話回線を介してのみ接続したい相手局に対しては予めその旨を相手局識別子記憶部５６に登録しておくことができる。
【０２４１】
また、相手局識別子記憶部５６に登録されていない相手局についても、通信方法決定部５７において無線ＬＡＮ回線を利用しない相手として判定されるため、利用者は無線ＬＡＮ回線を介して接続する相手を限定することができる。
【０２４２】
なお、このとき、通信可能データ作成部６４が通信制御部６５から情報を受け取ることで、現時点での携帯電話機の状態を取得し、他の電話機との間で通信中である場合は、無線ＬＡＮ回線を介して接続可能な相手に対して、他と接続中である旨の「ｂｕｓｙ」なる信号を送信し、他の電話機との間で通信が行われていない状態である場合は、他と接続中ではない旨の「ｏｎｌｉｎｅ」なる信号を送信するものとしても構わない。
【０２４３】
このとき、無線ＬＡＮ受信部４３において「ｂｕｓｙ」信号を受信した場合は、当該送信元である携帯電話機は「通話中」である旨の表示を表示部６１に行う構成としても構わない。
【０２４４】
このようにすることで、利用者は相手先に対して無線ＬＡＮ回線を介して呼出を行わずとも、他の電話機と通話中であることを視覚的に確認することができる。そして、他の電話機との通話が終了し、当該携帯電話機から送信された「ｏｎｌｉｎｅ」信号を受信すると、「通話可能」である旨の表示を表示部６１に行う構成としても構わない。
【０２４５】
このとき、各携帯電話機が、上記「通話中」あるいは「通話可能」なる表示を、表示部に文字以外の絵や記号、色等で表現するものとしても構わないし、その旨を示す音を音声出力部より出力するものとしても構わない。
【０２４６】
なお、固定電話機４についても、通信可能データに加えて自局識別子データを作成するものとして構わない。このとき、携帯電話機２と固定電話機４との間の無線ＬＡＮ通信手順については、上述の携帯電話機２と携帯電話機３ａとの間における無線ＬＡＮ通信手順と同一であるため、説明は省略する。
【０２４７】
更に、他の電話機からの呼び出しがあったとき、呼出処理部６６が携帯電話機をバイブレーションさせる指示を行うものとしても構わない。
【０２４８】
更に、上述した携帯電話機、ならびに固定電話機に搭載される無線ＬＡＮモジュールは、電話機に内蔵される構成であっても構わないし、外付けされる構成であっても構わない。
【０２４９】
更に、上述の実施形態では、無線電話回線以外の無線通信回線として、無線ＬＡＮ回線に限定して説明を行ったが、ｂｌｕｅｔｏｏｔｈ（登録商標）等の他の無線通信回線と接続可能な携帯電話機を含む無線通信システムにおいても、同様の効果を得ることができる。
【０２５０】
更に、上述の実施形態においては、その構成要素として電話機に限って説明を行ったが、これに限られるものではなく、無線電話回線と無線電話回線以外の無線通信回線の双方を利用可能な通信端末であれば良い。
【産業上の利用可能性】
【０２５１】
本発明の無線通信システムは、無線ＬＡＮモジュールが内蔵あるいは外付けされた携帯型通信端末、および固定通信端末に対して好適に利用され得る。
【図面の簡単な説明】
【０２５２】
【図１】は、本発明の一実施形態の無線通信システムである。
【図２】は、図１における無線通信システムにおいて通話が行われるまでの動作を示すフローチャートである。
【図３】は、本発明の一実施形態である携帯電話機の構成を示すブロック図である。
【図４】は、本発明の一実施形態である携帯電話機の別の構成を示すブロック図である。
【図５】は、図４における相手局識別子記憶部に登録されるデータ構造の一例を示す。
【図６】は、携帯電話機の表示部に表示される無線ＬＡＮ利用相手状態である相手局の一覧表示画面の一例である。
【図７】は、無線ＬＡＮを介して送受信されるデータのデータ構造である。
【図８】は、本発明の一実施形態である固定電話機の構成を示すブロック図である。
【図９】は、図８における相手局識別子記憶部に登録されるデータ構造の一例を示す。
【図１０】は、携帯電話機２から固定電話機４を介して携帯電話機３を呼び出す呼出信号の構成を示すデータ構造の一例である。
【図１１】は、本発明の一実施形態である携帯電話機のさらに別の構成を示すブロック図である。
【図１２】は、従来のネットワークシステムの構成を示す図である。
【図１３】は、従来の通信端末が備える端末情報の構成を示すテーブルである。
【符号の説明】
【０２５３】
１    無線通信システム
２    携帯電話機
３    携帯電話機
４    固定電話機
５    基地局
６    公衆網
７    基地局
８    無線電話回線
９    公衆電話回線
１０    建物
１１１    無線ＬＡＮ回線
１１２    無線電話回線
１１３    無線ＬＡＮ回線
【図１】
2007013648.tif 000003
【図２】
2007013648.tif 000004
【図３】
2007013648.tif 000005
【図４】
2007013648.tif 000006
【図５】
2007013648.tif 000007
【図６】
2007013648.tif 000008
【図７】
2007013648.tif 000009
【図８】
2007013648.tif 000010
【図９】
2007013648.tif 000011
【図１０】
2007013648.tif 000012
【図１１】
2007013648.tif 000013
【図１２】
2007013648.tif 000014
【図１３】
2007013648.tif 000015